(57)【要約】      （修正有）【課題】カラオケルームの四種類の音響映像機器を来店客が簡単な操作で、各音響映像機器と、音響・映像装置との接続を簡単に切り替えることができ、且つ、マイクの音声信号と音響映像機器の音響信号とのレベルを同等にすることができる使い勝手が良いカラオケ機器切替装置を提供する。【解決手段】使い勝手が良い娯楽システムは、カラオケコマンダー以外の機器が選択されている状態で、来店者がスイッチボックスの第１押釦スイッチｇ１または第２押釦スイッチｇ２の釦を押して放す反復クリック操作を行うと、第１〜第３の電子ボリュームｋ１〜ｋ３の減衰量が減少または増加していく構成である。このため、パソコン、光ディスクプレーヤー、または携帯形端末が出力する音響信号４２、５２、６２の信号レベルを、音声ミキサー７１が出力する歌唱者の音声が入った調整済音声信号７１１の信号レベルに合わせることができる。【選択図】図１
2020042058.tif 000002
【特許請求の範囲】
【請求項１】
第１〜第４の釦を押圧すると各電気接点が閉成する常開式で単極単投形の機器切替用の第１〜第４の押釦スイッチ、これら第１〜第４の押釦スイッチの近傍に配設される機器確認用の第１〜第４のランプ、第１、第２釦を押圧すると各電気接点が閉成する常開式で単極単投形の音響信号レベル調整用の第１、第２押釦スイッチ、およびこれら第１、第２押釦スイッチの近傍に配設される操作確認用の第１、第２ランプを上面に配設し、カラオケルーム内に載置される箱状のスイッチボックスと、
カラオケルーム内に設置され、スピーカー群とアンプとを備える音響装置と、
カラオケルーム内に設置され、動画や静止画の表示が可能な映像装置と、
カラオケルーム内で使用され、歌唱者が発声する音声を音声電気信号に変換するとともに、この音声電気信号を赤外線や電波に重畳させるマイクと、
カラオケルーム内に設置され、前記音声電気信号が重畳された赤外線や電波を捉えて前記音声電気信号を復調して増幅し、この増幅した音声信号を二系統出力するマイクレシーバーと、
ネットワークを介して配信サーバから配信される多数の楽曲データーを格納した記憶装置を有し、楽曲背景映像の映像信号と、前記マイクレシーバーが出力する一方の音声信号を楽曲空演奏の音響信号に重畳した歌唱入音響信号とを出力するカラオケルーム内に設置されるカラオケコマンダーと、
カラオケルーム内に据え置かれ、インターネットに接続可能で、映像信号および音響信号を出力するパソコンと、
各種光ディスクが再生可能であり、映像信号および音響信号を出力するカラオケルーム内に設置される光ディスクプレーヤーと、
カラオケルーム内に持ち込まれた携帯形端末の出力ポートに接続し、映像信号および音響信号を出力する信号変換器と、
前記マイクレシーバーが出力する他方の音声信号の信号レベルを調整し、この調整済音声信号を出力する音声ミキサー、前記パソコンが出力する前記音響信号の信号レベルを調整し、この調整済音響信号を出力する第１の電子ボリューム、前記光ディスクプレーヤーが出力する前記音響信号の信号レベルを調整し、この調整済音響信号を出力する第２の電子ボリューム、前記信号変換器が出力する前記音響信号の信号レベルを調整し、この調整済音響信号を出力する第３の電子ボリューム、前記音声ミキサーが出力する前記調整済音声信号と、前記第１の電子ボリュームが出力する調整済音響信号とを重畳して第１の音声入音響信号を出力する第１の信号重畳回路、前記音声ミキサーが出力する前記調整済音声信号と、前記第２の電子ボリュームが出力する調整済音響信号とを重畳して第２の音声入音響信号を出力する第２の信号重畳回路、前記音声ミキサーが出力する前記調整済音声信号と、前記第２の電子ボリュームが出力する調整済音響信号とを重畳して第３の音声入音響信号を出力する第３の信号重畳回路、前記第１〜第４の押釦スイッチおよび第１、第２押釦スイッチの各釦の押圧を各電気接点の閉成から検出する押圧検出回路、マイクロコンピューター、前記第１〜第４のランプおよび第１、第２ランプへ通電を行うランプ通電回路、電子スイッチ、および電子ボリューム操作回路を備え、前記スイッチボックスと接続ケーブルで電気接続される音響映像セレクターとを備えた使い勝手が良い娯楽システムであって、
前記マイクロコンピューターは、
前記第１の釦のみの押圧を前記押圧検出回路が検出すると、前記カラオケコマンダーの前記映像信号および前記歌唱入音響信号が、それぞれ、前記映像装置および前記音響装置の前記アンプへ入力される様に前記電子スイッチを操作するとともに、前記第１のランプへ通電を行う様に前記ランプ通電回路へ指示し、
前記第２の釦のみの押圧を前記押圧検出回路が検出すると、前記据え置きパソコンが出力する前記映像信号および前記第１の音声入音響信号が、それぞれ、前記映像装置および前記音響装置の前記アンプへ入力される様に前記電子スイッチを操作するとともに、前記第２のランプへ通電を行う様に前記ランプ通電回路へ指示し、
前記第３の釦のみの押圧を前記押圧検出回路が検出すると、前記光ディスクプレーヤーが出力する前記映像信号および前記第２の音声入音響信号が、それぞれ、前記映像装置および前記音響装置の前記アンプへ入力される様に前記電子スイッチを操作するとともに、前記第３のランプへ通電を行う様に前記ランプ通電回路へ指示し、
前記第４の釦のみの押圧を前記押圧検出回路が検出すると、前記信号変換器が出力する前記映像信号および前記第３の音声入音響信号が、それぞれ、前記映像装置および前記音響装置の前記アンプへ入力される様に前記電子スイッチを操作するとともに、前記第４のランプへ通電を行う様に前記ランプ通電回路へ指示し、
前記カラオケコマンダー以外の機器が選択されている状態で、前記音響信号レベル調整用の前記第１押釦スイッチの釦のみを押して放す反復クリック操作を前記押圧検出回路が検出すると、押圧前記電子ボリューム操作回路が前記第１〜第３の電子ボリュームの減衰量を減少させていき、押下時に前記第１ランプへ通電を行う様に前記ランプ通電回路へ指示し、  
前記カラオケコマンダー以外の機器が選択されている状態で、前記音響信号レベル調整用の前記第２押釦スイッチの釦のみを押して放す反復クリック操作を前記押圧検出回路が検出すると、前記電子ボリューム操作回路が前記第１〜第３の電子ボリュームの減衰量を増加させていき、押下時に前記第２ランプへ通電を行う様に前記ランプ通電回路へ指示することを特徴とする使い勝手が良い娯楽システム。
【請求項２】
前記カラオケコマンダー以外の機器が選択されている状態で、前記音響信号レベル調整用の前記第１押釦スイッチの釦のみを長押して放す長押し操作を前記押圧検出回路が検出すると、押圧前記電子ボリューム操作回路が前記第１〜第３の電子ボリュームの減衰量を大きく減少させ、長押し時に前記第１ランプへ通電を行う様に前記ランプ通電回路へ指示し、  
前記カラオケコマンダー以外の機器が選択されている状態で、前記音響信号レベル調整用の前記第２押釦スイッチの釦のみを長押して放す長押し操作を前記押圧検出回路が検出すると、前記電子ボリューム操作回路が前記第１〜第３の電子ボリュームの減衰量を大きく増加させ、長押し時に前記第２ランプへ通電を行う様に前記ランプ通電回路へ指示することを特徴とする請求項１に記載の使い勝手が良い娯楽システム。
【発明の詳細な説明】
【技術分野】
【０００１】
本発明は、音響映像セレクターを用いた、使い勝手が良いカラオケ機器切替装置に関する。
【背景技術】
【０００２】
カラオケルームに設置されているカラオケシステムは、通常、大形のディスプレイや大迫力の音響装置が、複数の接続ケーブルでカラオケコマンダーに接続されており、来店した複数人の客がカラオケを楽しめる様になっている。
しかし、ディスプレイや音響装置をカラオケ以外の目的（ビデオゲーム、映画鑑賞、テレビの試聴）に使おうとすると、複数のケーブルを繋ぎ替える必要がある。
特許文献１には、映像信号切り替え手段を有するカラオケシステムが記載されている。  特許文献２には、入力セレクタを有するホームシアターが記載されている。
【先行技術文献】
【特許文献】
【０００３】
【特許文献１】特開平１０−２８２９７５号公報
【特許文献２】特開平２０１１−４１２２７号公報
【発明の概要】
【発明が解決しようとする課題】
【０００４】
特許文献１のカラオケシステムでは、カラオケプレーヤの画像以外に、カメラで撮影している客席の映像と、ビデオプレーヤーの再生動画や静止画とを映像信号切り替え手段（入力画像切り替え手段）で切り替えて、別カメラで撮影している歌唱者の映像をはめ込んでいる。
【０００５】
しかし、特許文献１のカラオケシステムは、映像信号切り替え手段がリモコンで制御されるので切替の操作性が悪い（選曲等のコマンダー操作も兼ねているため）とともに、現在の切替状態が一目で判らない。
【０００６】
特許文献２のホームシアターでは、パソコン、カラオケ機器、およびゲーム機器を組み込んでＡＶ機器とし、このＡＶ機器に内蔵した入力セレクタで使う機器を切り替えて、それらのソフトを大画面と迫力音響で提供可能としている。
【０００７】
しかし、全ての機器を組み込んでＡＶ機器としているので、ＡＶ機器が嵩張るとともにメンテナンス性が悪い。また、ＡＶ機器に入力セレクタが内蔵しているので、切替の操作性が悪い（目立たないため）とともに、現在の切替状態が一目で判らない。
【０００８】
また、最近、インターネットに接続したパソコンをカラオケのシステムに繋いで、カラオケルームで下記の娯楽に興じたいというニューズがある。
・オンライン映画を、大画面と大迫力音響で仲間と鑑賞したい。
・大画面と迫力音響で、海外のスポーツのライブ中継を仲間と楽しみたい。
・プロモーション音楽ビデオの配信を行いたい。
・歌手とともに、大画面と大迫力音響で歌唱したい。
・海外のカラオケ楽曲を、大画面と大迫力音響で歌唱したい。
・オンラインゲームを、大画面と大迫力音響でプレイしたい。
・動画配信サイトの動画を、大画面と大迫力音響で仲間と鑑賞したい。
【０００９】
さらに、カラオケルームで下記の娯楽に興じたいという客のニューズもある。
・ＢＤやＤＶＤを持ち込んで、大画面と迫力音響で仲間と鑑賞したい。
・自前の携帯端末（スマートフォン、ノートパソコン、タブレットなど）を持ち込んで  、その携帯端末に格納されているコンテンツを大画面と迫力音響で鑑賞したい。
【００１０】
また、音響映像機器を切り替える場合、下記の課題がある。
来店客の要望に応じて、カラオケコマンダーを含む複数の音響映像機器と、音響映像試聴装置（大画面モニター＋大迫力音響装置）との接続切り替えをカラオケルームの店員が、その都度、行う場合は、そのカラオケルームに出向いて作業を行う必要があるため、時間と手間がかかる。また、接続切り替えを来店客が行う様にすると、その接続変更作業に時間と手間がかかるとともに、誤接続により機器が破損する虞もある。
【００１１】
また、音響映像機器が複数の場合、各音響映像機器から出力される音響信号には、バラツキがあるため、マイクの音声信号と各音響映像機器の音響信号との間にレベル差が生じ易く、快適に歌唱できない場合がある。
【００１２】
つまり、複数の音響映像機器を切り替えるための音響映像セレクターの操作を来店客が容易にでき、現在、どの音響映像機器が音響映像試聴装置に繋がっているか来店客が一見して判り、且つ、マイクの音声信号と音響映像機器の音響信号との間にレベル差を生じさせないことが必要である。
【００１３】
本発明の目的は、カラオケルームの四種類の音響映像機器（カラオケコマンダー、パソコン、光ディスクプレーヤー、来店客自前の携帯形端末）を来店客が簡単な操作で、各音響映像機器と、音響映像装置（アンプ＋モニター）との接続を簡単に切り替えることができ、且つ、マイクの音声信号と音響映像機器の音響信号とのレベルを容易に同等にすることができる使い勝手が良いカラオケ機器切替装置の提供にある。
【課題を解決するための手段】
【００１４】
［請求項１について］
請求項１の使い勝手が良いカラオケ機器切替装置は、カラオケルーム内に載置される箱状のスイッチボックスと、カラオケルーム内に設置される音響・映像装置およびマイクレシーバーと、カラオケルーム内に設置されるカラオケコマンダー、パソコン、光ディスクプレーヤー、および信号変換器（四種類の音響映像機器）と、カラオケルーム内で使用されるマイクと、スイッチボックスと接続ケーブルで電気接続される音響映像セレクターとを備える。
【００１５】
スイッチボックスは、機器切替用の第１〜第４の押釦スイッチと、機器確認用の第１〜第４のランプと、音響信号レベル調整用の第１、第２押釦スイッチと、操作確認用の第１、第２ランプとをボックス上面に配設している。
【００１６】
第１〜第４の押釦スイッチは、常開式で単極単投形であり、第１〜第４の釦を押圧すると各電気接点が閉成する構成である。
第１〜第４のランプは、第１〜第４の押釦スイッチの近傍に配設されている。
第１、第２押釦スイッチは、常開式で単極単投形であり、第１、第２釦を押圧すると各電気接点が閉成する構成である。
第１、第２ランプは、第１、第２押釦スイッチの近傍に配設されている。
【００１７】
音響装置は、スピーカー群とアンプとを備える。
映像装置は、動画や静止画の表示が可能である。
【００１８】
マイクは、歌唱者が発声する音声を音声電気信号に変換するとともに、この音声電気信号を赤外線または電波に重畳させる。
【００１９】
マイクレシーバーは、音声電気信号が重畳された赤外線または電波を捉えて音声電気信号を復調して増幅し、この増幅した音声信号を二系統出力する。
【００２０】
カラオケコマンダーは、ネットワークを介して配信サーバから配信される多数の楽曲データーを格納する記憶装置を有し、楽曲背景映像の映像信号と、マイクレシーバーが出力する一方の音声信号を楽曲空演奏の音響信号に重畳した歌唱入音響信号とを出力する。
【００２１】
パソコンは、インターネットに接続可能で、映像信号および音響信号を出力する。
光ディスクプレーヤーは、各種光ディスクが再生可能であり、映像信号および音響信号を出力する。
信号変換器は、来店客がカラオケルーム内へ持ち込んだ、携帯形端末の出力ポートに接続され、映像信号および音響信号を出力する。
【００２２】
音響映像セレクターは、音声ミキサーと、第１〜第３の電子ボリュームと、第１〜第３の音響信号重畳回路と、押圧検出回路と、マイクロコンピュータと、ランプ通電回路と、電子スイッチと、電子ボリューム操作回路とを備える。
【００２３】
音声ミキサーは、マイクレシーバーが出力する他方の音声信号のレベルを調整し、この調整済音声信号を出力する。
【００２４】
第１の電子ボリュームは、パソコンが出力する音響信号の信号レベルを調整し、この調整済音響信号を出力する。
【００２５】
第２の電子ボリュームは、光ディスクプレーヤーが出力する音響信号の信号レベルを調整し、この調整済音響信号を出力する。
【００２６】
第３の電子ボリュームは、信号変換器が出力する音響信号の信号レベルを調整し、この調整済音響信号を出力する。
【００２７】
第１の信号重畳回路は、音声ミキサーが出力する調整済音声信号と、第１の電子ボリュームが出力する調整済音響信号とを重畳して第１の音声入音響信号を出力する。
【００２８】
第２の信号重畳回路は、音声ミキサーが出力する調整済音声信号と、第２の電子ボリュームが出力する調整済音響信号とを重畳して第２の音声入音響信号を出力する。
【００２９】
第３の信号重畳回路は、音声ミキサーが出力する調整済音声信号と、第２の電子ボリュームが出力する調整済音響信号とを重畳して第３の音声入音響信号を出力する。
【００３０】
押圧検出回路は、第１〜第４の押釦スイッチおよび第１、第２押釦スイッチの各釦の押圧を、各電気接点が閉成したことにより検出する。
【００３１】
音響映像セレクターのマイクロコンピューターは、下記の様に作動する。
来店者が第１の押釦スイッチの第１の釦を押圧すると、第１の釦のみの押圧を押圧検出回路が検出するため、マイクロコンピューターは、カラオケコマンダーの映像信号および歌唱入音響信号が、それぞれ、映像装置および音響装置のアンプへ入力される様に電子スイッチを操作するとともに、第１のランプへ通電を行う様にランプ通電回路へ指示する。  
【００３２】
来店者が第２の押釦スイッチの第２の釦を押圧すると、第２の釦のみの押圧を押圧検出回路が検出するため、マイクロコンピューターは、パソコンが出力する映像信号および第１の音声入音響信号が、それぞれ、映像装置および音響装置のアンプへ入力される様に電子スイッチを操作するとともに、第２のランプへ通電を行う様にランプ通電回路へ指示する。
【００３３】
来店者が第３の押釦スイッチの第３の釦を押圧すると、第３の釦のみの押圧を押圧検出回路が検出するため、マイクロコンピューターは、光ディスクプレーヤーが出力する映像信号および第２の音声入音響信号が、それぞれ、映像装置および音響装置のアンプへ入力される様に電子スイッチを操作するとともに、第３のランプへ通電を行う様にランプ通電回路へ指示する。
【００３４】
来店者が第４の押釦スイッチの第４の釦を押圧すると、第４の釦のみの押圧を押圧検出回路が検出するため、マイクロコンピューターは、信号変換器が出力する映像信号および第３の音声入音響信号が、それぞれ、映像装置および音響装置のアンプへ入力される様に電子スイッチを操作するとともに、第４のランプへ通電を行う様にランプ通電回路へ指示する。
【００３５】
カラオケコマンダー以外の機器が選択されている状態で、来店者が第１押釦スイッチの釦のみを押して放す反復クリック操作を押圧検出回路が検出すると、電子ボリューム操作回路が第１〜第３の電子ボリュームの減衰量を減少させていく様にマイクロコンピューターが指示するため、電子ボリューム操作回路が第１〜第３の電子ボリュームの減衰量を減少させていく。また、押下時に第１ランプへ通電を行う様にランプ通電回路へマイクロコンピューターが指示するため、押している間、第１ランプが点灯する。
【００３６】
カラオケコマンダー以外の機器が選択されている状態で、来店者が来店者が第２押釦スイッチの釦のみを押して放す反復クリック操作を押圧検出回路が検出すると、電子ボリューム操作回路が第１〜第３の電子ボリュームの減衰量を増加させていく様にマイクロコンピューターが指示するため、電子ボリューム操作回路が第１〜第３の電子ボリュームの減衰量を増加させていく。また、押下時に第２ランプへ通電を行う様にランプ通電回路へマイクロコンピューターが指示するため、押している間、第２ランプが点灯する。
【００３７】
請求項１の使い勝手が良いカラオケ機器切替装置は、下記の利点を有する。
カラオケ店に来店した来店者（同伴者も含む）が、第１〜第４の押釦スイッチの第１〜第４の釦の何れかを押圧するだけで、四種類の音響映像機器（カラオケコマンダー、パソコン、光ディスクプレーヤー、携帯形端末）を簡単に切り替えることができる。
【００３８】
第１〜第４の押釦スイッチは、第１〜第４の釦の何れか１つを押圧する（押圧中、電気接点が閉になる）と、押圧した第１〜第４の押釦スイッチに対応する第１〜第４のランプが点灯状態になるので、現在、どの機器が、音響装置および映像装置に接続されているか一目で判る、このため、来店者以外に切替操作しなかった同伴者でも、第１〜第４のランプの点灯状態を見れば、どの機器（カラオケコマンダー、パソコン、光ディスクプレーヤー、携帯形端末）が利用できるのか容易に判別できる。
また、第１〜第４の押釦スイッチは、スイッチ体長が短い、常開式で単極単投形であるので、押し易いとともに、押釦スイッチを配設するスイッチボックスが嵩張らない。
【００３９】
カラオケコマンダー以外の機器が選択されている状態で、来店者がスイッチボックスの第１押釦スイッチまたは第２押釦スイッチの釦を押して放す反復クリック操作を行うと、電子ボリューム操作回路が第１〜第３の電子ボリュームの減衰量を、減少または増加させていく構成である。
【００４０】
このため、来店者がスイッチボックスの第１、第２押釦スイッチを反復クリック操作するだけで、四種類の音響映像機器（パソコン、光ディスクプレーヤー、携帯形端末）が出力する音響信号の信号レベルを、音声ミキサーが出力する歌唱者の音声が入った調整済音声信号の信号レベルにスイッチボックス側で簡単に合わせることができる。なお、マイクを使わない場合は、何れかの音響映像機器の音響信号の信号レベルをスイッチボックス側で調整することができる。
【００４１】
また、第１、第２押釦スイッチの押下時に、第１ランプまたは第２ランプが点灯する構成であるため、レベル合わせのための反復クリック操作が受け入れられたことを、来店者がランプ点灯を見れば確認することができる。
【００４２】
［請求項２について］
カラオケコマンダー以外の機器が選択されている状態で、来店者がスイッチボックスの第１押釦スイッチまたは第２押釦スイッチの釦を押して放す反復クリック操作を行うと、第１〜第３の電子ボリュームの減衰量が減少または増加していく構成に加え、第１押釦スイッチまたは第２押釦スイッチの釦を長押して放す長押し操作を行うと、第１〜第３の電子ボリュームの減衰量が大きく減少または増加する構成である。
【００４３】
パソコン、光ディスクプレーヤー、または携帯形端末が出力する音響信号の信号レベルと、音声ミキサーが出力する歌唱者の音声が入った調整済音声信号の信号レベルとの差が大きい場合には、第１押釦スイッチまたは第２押釦スイッチの釦を長押して放す長押し操作を行い、信号レベルの差が縮まってきたら、第１押釦スイッチまたは第２押釦スイッチの釦を反復クリック操作すれば良い。
【００４４】
このため、短時間で、パソコン、光ディスクプレーヤー、または携帯形端末が出力する音響信号の信号レベルを、音声ミキサーが出力する歌唱者の音声が入った調整済音声信号の信号レベルに合わせることができる。
【図面の簡単な説明】
【００４５】
【図１】本発明の実施例１に係る使い勝手が良いカラオケ機器切替装置のブロック図である。
【図２】そのカラオケ機器切替装置のスイッチボックスの説明図である。
【図３】接続機器の切り替えを行う際のマイクロコンピューターの作動を示すフローチャートである。
【図４】電子ボリュームの減衰量の調整を行う際のマイクロコンピューターの作動を示すフローチャートである。
【発明を実施するための形態】
【００４６】
使い勝手が良いカラオケ機器切替装置は、カラオケコマンダー以外の機器が選択されている状態で、来店者がスイッチボックスの第１押釦スイッチまたは第２押釦スイッチの釦を押して放す反復クリック操作を行うと、第１〜第３の電子ボリュームの減衰量が減少または増加していく構成である。
このため、パソコン、光ディスクプレーヤー、または携帯形端末が出力する音響信号の信号レベルを、音声ミキサーが出力する歌唱者の音声が入った調整済音声信号の信号レベルに合わせることができる。
【実施例１】
【００４７】
本発明の実施例１に係る使い勝手が良いカラオケ機器切替装置Ａ（請求項１に対応）を図１〜図４に基づいて説明する。
使い勝手が良いカラオケ機器切替装置Ａは、箱状のスイッチボックスＳと、音響装置１と、映像装置であるモニターＬａおよび大形モニタＬｂと、マイクＭと、マイクレシーバー２と、カラオケコマンダー３と、パソコン４と、光ディスクプレーヤー５と、信号変換器６と、音響映像セレクター７とを備える（図１、図２参照）。
【００４８】
カラオケルームＫ内に載置されるスイッチボックスＳは、ボックス上面Ｕに、機器切替用の第１〜第４の押釦スイッチｓ１〜ｓ４と、接続機器確認用の第１〜第４の発光ダイオードｒ１〜ｒ４と、音響信号レベル調整用の第１、第２押釦スイッチｇ１、ｇ２と、操作確認用の第１、第２発光ダイオードｅ１、ｅ２とを配設している。
【００４９】
ボックス上面Ｕの図示下側に位置する第１〜第４の押釦スイッチｓ１〜ｓ４は、略正方形の第１〜第４の釦ｂ１〜ｂ４を押圧操作すると、各電気接点が閉成する単極単投形の開閉器である。
第１〜第４の釦ｂ１〜ｂ４の図示上側には、カラオケコマンダー３、パソコン４、光ディスクプレーヤー５、および携帯形端末６０の信号変換器６を意味する（１）（２）（３）（４）が印刷されている。
第１〜第４の発光ダイオードｒ１〜ｒ４は、それぞれ、（１）（２）（３）（４）の図示上側に配設されている。
【００５０】
第１、第２押釦スイッチｇ１、ｇ２は、ボックス上面Ｕの図示右側に位置し、上矢印（↑）および下矢印（↓）形状の第１、第２釦ｐ１、ｐ２を押圧すると各電気接点が閉成する常開式で単極単投形の開閉器である。
【００５１】
第１、第２発光ダイオードｅ１、ｅ２は、それぞれ、第１釦ｐ１の図示上方のボックス上面Ｕ、第２釦ｐ２の図示下方のボックス上面Ｕに配設されている。
【００５２】
音響装置１は、スピーカー１１、…１１群と、ライン入力端子（ＲＣＡ端子  Ｒ／Ｌ）を有するアンプ１２とにより構成されている。
【００５３】
モニターＬａ、大形モニターＬｂは、ＨＤＭＩ入力端子を有する普通サイズ、大形サイズのプラズマディスプレイであり、動画や静止画の表示が可能である。
【００５４】
マイクＭは、赤外線発光部をグリップｇに設けた赤外線伝送方式のコンデンサマイクである。
このマイクＭは、スピーカー２１、…２１群から発せられる音響およびモニターＬａおよび大形モニタＬｂに表示される映像に合わせて歌唱者が発声する音声を音声電気信号に変換し、この音声電気信号で赤外線を変調し、この変調した赤外線ｍがマイクレシーバー３へ向けて発射される。
【００５５】
マイクレシーバー２は、マイクＭから発射された赤外線ｍから音声電気信号を復調して増幅し、この増幅したアナログの音声信号２１、２２を、ライン出力端子から出力（二系統）する。
【００５６】
カラオケコマンダー３は、ネットワーク３１を介して配信サーバから配信される多数の楽曲データーを格納するＨＤＤ（記憶装置）を有する。
このカラオケコマンダー３は、楽曲背景映像のデジタル映像信号３２と、マイクレシーバー２が出力する一方のアナログの音声信号２１を楽曲空演奏の音響信号に重畳したアナログの歌唱入音響信号３３とを、ＨＤＭＩ出力端子およびライン出力端子から音響映像セレクター７へ出力する。
【００５７】
インターネット４０に接続可能なパソコン４は、ＨＤＭＩ出力端子からデジタル映像信号４１を音響映像セレクター７へ出力し、ライン出力端子からアナログの音響信号４２を第１の電子ボリュームｋ１へ出力する。
【００５８】
光ディスクプレーヤー（Blu-ray Disc）５は、BD-VideoやDVD -Videoの再生が可能な再生専用の映像機器であり、歌唱者や同伴者がカラオケルーム内へ持ち込んだ、BD-VideoやDVD -Videoの再生が可能である。
この光ディスクプレーヤー５は、ＨＤＭＩ出力端子からデジタル映像信号５１を音響映像セレクター７へ出力し、ライン出力端子からアナログの音響信号５２を第２の電子ボリュームｋ２へ出力する。
【００５９】
信号変換器６は、ＨＤＭＩコンバーターであり、来店客の持込み携帯形端末６０の出力ポートに接続し、デジタル映像信号６１を音響映像セレクター７へ出力し、アナログの音響信号６２を第３の電子ボリュームｋ３へ出力する。
この信号変換器６は、は、二種類、用意され、Ｌｉｇｈｔｎｉｎｇ出力（アイフォン系）またはＭＨＬ出力（アンドロイド系）をＨＤＭＩ出力に変換する。
【００６０】
音響映像セレクター７は、音声ミキサー７１と、第１〜第３の音響信号重畳回路７２〜７４と、第１〜第３の電子ボリュームｋ１〜ｋ３と、押圧検出回路７５、マイクロコンピューター７６、ＬＥＤ通電回路７７、電子スイッチ７８、および電子ボリューム操作回路７９を有するセレクター本体７０とからなる。
【００６１】
音声ミキサー７１は、マイクレシーバー２が出力する他方のアナログの音声信号２２の信号レベルを調整し、この調整済音声信号７１１を第１〜第３の音響信号重畳回路７２〜７４へ出力する。
【００６２】
第１の電子ボリュームｋ１は、パソコン４が出力する音響信号４２の信号レベルを調整し、この調整済音響信号４２１を出力する。
【００６３】
第１の音響信号重畳回路７２は、音声ミキサー７１が出力する調整済音声信号７１１と、第１の電子ボリュームｋ１が出力する調整済音響信号４２１とを重畳して第１の音声入音響信号７２１をセレクター本体７０へ出力する。
【００６４】
第２の電子ボリュームｋ２は、光ディスクプレーヤー５が出力する音響信号５２の信号レベルを調整し、この調整済音響信号５２１を出力する。
【００６５】
第２の音響信号重畳回路７３は、音声ミキサー７１が出力する調整済音声信号７１１と、第２の電子ボリュームｋ２が出力する調整済音響信号５２１とを重畳して第２の音声入音響信号７３１をセレクター本体７０へ出力する。
【００６６】
第３の電子ボリュームｋ３は、信号変換器６が出力する音響信号６２の信号レベルを調整し、この調整済音響信号６２１を出力する。
【００６７】
第３の音響信号重畳回路７４は、音声ミキサー７１が出力する調整済音声信号７１１と、第３の電子ボリュームｋ３が出力する調整済音響信号６２１とを重畳して第３の音声入音響信号７４１をセレクター本体７０へ出力する。
【００６８】
押圧検出回路７５は、第１〜第４の押釦スイッチｓ１〜ｓ４の第１〜第４の釦ｂ１〜ｂ４、および第１、第２押釦スイッチｇ１、ｇ２の第１、第２釦ｐ１、ｐ２が押圧されたか否かを、各押釦スイッチの電気接点の閉成に基づいて検知する回路である。
【００６９】
ＬＥＤ通電回路７７は、第１〜第４の発光ダイオードｒ１〜ｒ４および第１、第２発光ダイオードｅ１、ｅ２へ通電を行う回路である。
【００７０】
音響映像セレクター７のマイクロコンピューター７６は、第１〜第４の押釦スイッチｓ１〜ｓ４または第１、第２押釦スイッチｇ１、ｇ２の何れかの釦が押圧されたか否かを下記の様に判別する。
＜第１〜第４の押釦スイッチｓ１〜ｓ４の押圧判別＞
切替装置の起動時は、図３のステップｓ１で、マイクロコンピューター７６は、第１〜第４の押釦スイッチｓ１〜ｓ４の全ての電気接点を、みなし開成状態（オフ状態）にホールドし、ステップｓ２へ進む。        
みなし開成状態とは、そのホールドした押釦スイッチの電気接点が開成状態を維持している様にマイクロコンピューター７６が見なすことである。
【００７１】
図３のステップｓ２で、マイクロコンピューター７６は、何れかの釦が押圧されたか否かを押圧検出回路７５の検知に基づいて判別し、第１〜第４の釦ｂ１〜ｂ４の何れかの釦が押圧された場合にはステップｓ３へ進み、何れの釦も押圧されない場合にはステップｓ２で待機する。
【００７２】
図３のステップｓ３で、マイクロコンピューター７６は、ステップｓ２で押圧を検知した押釦スイッチをみなし閉成状態（オン状態）にホールドし、ステップｓ４へ進む。      みなし閉成状態とは、押圧を解除しても、そのホールドした押釦スイッチの電気接点が閉成状態を維持している様にマイクロコンピューター７６が見なすことである。
【００７３】
図３のステップｓ４で、マイクロコンピューター７６は、ステップｓ２で押圧を検知した押釦スイッチに対応する発光ダイオードが点灯状態になる様にＬＥＤ通電回路７７に指示し、該当する発光ダイオードが点灯する。
【００７４】
図３のステップｓ５で、マイクロコンピューター７６は、ステップｓ２（または前回のステップｓ５）で検知した押釦スイッチの釦とは異なる別の釦が押圧されたか否かを押圧検出回路７５の検知に基づいて判別し、別の押釦スイッチの釦が押圧された場合（ＹＥＳ〜にはステップｓ６へ進み、別の押釦スイッチの釦が押圧されない場合（ＮＯ）にはステップｓ５で待機する。
【００７５】
図３のステップｓ６で、マイクロコンピューター７６は、ステップｓ３で、みなし閉成状態（オン状態）にホールドしている押釦スイッチのホールドを解除し、ステップｓ７へ進む。
【００７６】
図３のステップｓ７で、マイクロコンピューター７６は、ステップｓ６で解除した押釦スイッチに対応する発光ダイオードを消灯状態にし、ステップｓ８へ進む。
【００７７】
図３のステップｓ８で、マイクロコンピューター７６は、ステップｓ５で押圧を検知した押釦スイッチをみなし閉成状態（オン状態）にホールドし、ステップｓ９へ進む。
みなし閉成状態とは、押圧を解除しても、そのホールドした押釦スイッチの電気接点が閉成状態を維持している様にマイクロコンピューター７６が見なすことである。
【００７８】
図３のステップｓ９で、マイクロコンピューター７６は、ステップｓ８で、みなし閉成状態（オン状態）にホールドした押釦スイッチに対応する発光ダイオードを点灯状態にし、ステップｓ５へ戻る。
【００７９】
また、音響映像セレクター７のマイクロコンピューター７６は、ステップｓ１〜ステップｓ９を実行中に、みなし閉成状態（オン状態）にホールドした押釦スイッチ（第１〜第４の押釦スイッチｓ１〜ｓ４の何れか１つ）およびその押釦スイッチに対応して点灯する発光ダイオードに基づいて電子スイッチ７８を制御する。
【００８０】
＜第１、第２押釦スイッチｇ１、ｇ２の押圧判別＞
図４のステップｓｔ１で、マイクロコンピューター７６は、現在の接続機器がカラオケコマンダー３以外であるか否かを判別し、接続機器がカラオケコマンダー３以外の機器である場合（ＹＥＳ）はステップｓｔ２へ進み、接続機器がカラオケコマンダー３の場合（ＮＯ）の場合はステップｓｔ１で待機する。
【００８１】
ステップｓｔ２で、マイクロコンピューター７６は、第１〜第３の電子ボリュームｋ１〜ｋ３の減衰量が５０％になる様に電子ボリューム操作回路７９に指示し、ステップｓｔ３へ進む。
【００８２】
ステップｓｔ３で、マイクロコンピューター７６が、押圧検出回路７５からの信号に基づいて第１押釦スイッチｇ１のみの追圧を検知すると、ステップｓｔ４へ進み、追圧を検知しない場合（ＮＯ）にはステップｓｔ８へ進む。
【００８３】
ステップｓｔ４で、マイクロコンピューター７６は、第１〜第３の電子ボリュームｋ１〜ｋ３の減衰量が減少（１回のクリック操作で−１％）する様に、電子ボリューム操作回路７９に指示し、ステップｓｔ５へ進む。
【００８４】
ステップｓｔ５で、マイクロコンピューター７６は、第１発光ダイオードｅ１が点灯する様に、ＬＥＤ通電回路７７へ指示し、ステップｓｔ６へ進む。これにより、第１発光ダイオードｅ１が点灯（第１押釦スイッチｇ１の押圧期間）する。
【００８５】
ステップｓｔ６で、マイクロコンピューター７６が、押圧検出回路７５からの信号に基づいて第１押釦スイッチｇ１の追圧解除が成されたか否かを判別し、追圧解除が成された場合（ＹＥＳ）は、ステップｓｔ７へ進み、追圧中の場合（ＮＯ）にはステップｓｔ５へ戻る。
【００８６】
ステップｓｔ７で、マイクロコンピューター７６は、第１発光ダイオードｅ１が消灯する様に、ＬＥＤ通電回路７７へ指示し、ステップｓｔ３へ戻る。これにより、第１発光ダイオードｅ１が消灯（第１押釦スイッチｇ１の押圧解除時）する。
【００８７】
ステップｓｔ８で、マイクロコンピューター７６が、押圧検出回路７５からの信号に基づいて第２押釦スイッチｇ２のみの追圧を検知すると、ステップｓｔ９へ進み、追圧を検知しない場合（ＮＯ）にはステップｓｔ３へ戻る。
【００８８】
ステップｓｔ９で、マイクロコンピューター７６は、第１〜第３の電子ボリュームｋ１〜ｋ３の減衰量が増加（１回のクリック操作で＋１％）する様に、電子ボリューム操作回路７９に指示し、ステップｓｔ１０へ進む。
【００８９】
ステップｓ１０で、マイクロコンピューター７６は、第２発光ダイオードｅ２が点灯する様に、ＬＥＤ通電回路７７へ指示し、ステップｓｔ１１へ進む。これにより、第２発光ダイオードｅ２が点灯（第２押釦スイッチｇ２の押圧期間）する。
【００９０】
ステップｓｔ１１で、マイクロコンピューター７６が、押圧検出回路７５からの信号に基づいて第２押釦スイッチｇ２の追圧解除が成されたか否かを判別し、追圧解除が成された場合（ＹＥＳ）は、ステップｓｔ１２へ進み、追圧中の場合（ＮＯ）にはステップｓ１０へ戻る。
【００９１】
ステップｓｔ１２で、マイクロコンピューター７６は、第２発光ダイオードｅ２が消灯する様に、ＬＥＤ通電回路７７へ指示し、ステップｓｔ３へ戻る。これにより、第２発光ダイオードｅ２が消灯（第２押釦スイッチｇ２の押圧解除時）する。
【００９２】
電子スイッチ７８は、半導体（トランジスタやＦＥＴ等）により構成され、四種類の音響映像機器（カラオケコマンダー３、パソコン４、光ディスクプレーヤー５、信号変換器６）と、映像装置（大形モニターＬｂ、モニターＬｓ）および音響装置１（アンプ１２）との接続を下記の様に切り替える。
【００９３】
第１の押釦スイッチｓ１が、みなし閉成状態（オン状態）にホールドされた状態では、マイクロコンピューター７６が電子スイッチ７８を操作して、カラオケコマンダー３が出力する楽曲背景映像のデジタル映像信号３２を分配器ｓｐを介して大形モニターＬｂ、モニターＬａへ案内し、カラオケコマンダー３が出力するアナログの歌唱入音響信号３３を音響装置１のアンプ１２へ案内する。また、第１の発光ダイオードｒ１へ通電を行う様にマイクロコンピューター５６がＬＥＤ通電回路７７へ指示する。
【００９４】
第２の押釦スイッチｓ２が、みなし閉成状態（オン状態）にホールドされた状態では、マイクロコンピューター７６が電子スイッチ７８を操作して、パソコン４２が出力するデジタル映像信号４１を分配器ｓｐを介して大形モニターＬｂ、モニターＬａへ案内し、第１の音響信号重畳回路７２が出力するアナログの第１の音響信号７２１を音響装置１のアンプ１２へ案内する。
また、第２の発光ダイオードｒ２へ通電を行う様にマイクロコンピューター５６がＬＥＤ通電回路７７へ指示する。
【００９５】
第３の押釦スイッチｓ３が電気的に閉成状態（オン状態）にホールドされた状態では、マイクロコンピューター７６が電子スイッチ７８を操作して、光ディスクプレーヤー５が出力するデジタル映像信号５１を分配器ｓｐを介して大形モニターＬｂ、モニターＬａへ案内し、第２の音響信号重畳回路７３が出力するアナログの第２の音響信号７３１を音響装置１のアンプ１２へ案内する。また、第３の発光ダイオードｒ３へ通電を行う様にマイクロコンピューター７６がＬＥＤ通電回路７７へ指示する。
【００９６】
第４の押釦スイッチｓ４が電気的に閉成状態（オン状態）にホールドされた状態では、マイクロコンピューター７６が電子スイッチ７８を操作して、ＨＤＭＩコンバーターである信号変換器６が出力するデジタル映像信６１を分配器ｓｐを介して大形モニターＬｂ、モニターＬａへ案内し、第３の音響信号重畳回路７４が出力するアナログの第３の音響信号７４１を音響装置１のアンプ１２へ案内する。
また、第４の発光ダイオードｒ４へ通電を行う様にマイクロコンピューター７６がＬＥＤ通電回路７７へ指示する。
【００９７】
実施例１の使い勝手が良いカラオケ機器切替装置Ａは、下記の利点を有する。
切替え音響映像機器が複数（カラオケコマンダー３、パソコン４、光ディスクプレーヤー５、持込み携帯形端末６０）であるので、各音響映像機器から出力される音響信号にバラツキが生じ、マイクＭの音声信号と各音響映像機器の音響信号との間にレベル差が生じ易い（快適に歌唱できない）。
【００９８】
しかし、本実施例の使い勝手が良いカラオケ機器切替装置Ａは、カラオケコマンダー３以外の機器が選択されている状態で、来店者がスイッチボックスＳの第１押釦スイッチｇ１または第２押釦スイッチｇ２の釦を押して放す反復クリック操作を行うと、電子ボリューム操作回路７９が第１〜第３の電子ボリュームｋ１〜ｋ３の減衰量を、減少または増加させていく構成である。
【００９９】
この構成により、来店者がスイッチボックスＳの第１スイッチｇ１、第２押釦スイッチｇ２を反復クリック操作するだけで、パソコン４、光ディスクプレーヤー５、または携帯形端末６０が出力する音響信号の信号レベルを、音声ミキサー７１が出力する歌唱者の音声が入った調整済音声信号７１の信号レベルに簡単に合わせることができ、使い勝手が良い。
【０１００】
また、第１、第２押釦スイッチｇ１、ｇ２の押下時に、第１ランプｅ１または第２ランプｅ２が点灯する構成であるため、レベル合わせのための反復クリック操作が受け入れられたことを、押圧操作する来店者がランプ点灯を見ることにより確認することができる。  
【０１０１】
カラオケ店に来店した歌唱者または同伴者が、第１〜第４の押釦スイッチｓ１〜ｓ２の第１〜第４の釦ｂ１〜ｂ４の何れかを指で押圧して指を離せば、四種類の機器（カラオケコマンダー３、パソコン４、光ディスクプレーヤー５、持込み携帯形端末６０）を簡単に切り替えることができる。
【０１０２】
第１〜第４の押釦スイッチｓ１〜ｓ４は、単投形で、第１〜第４の釦ｂ１〜ｂ４の何れか１つを押圧する（押圧中、電気接点が閉になる）と、押圧した第１〜第４の押釦スイッチｓ１〜ｓ４に対応する第１〜第４の発光ダイオードｒ１〜ｒ４が点灯するので、現在、どの機器が大形モニターＬｂ、モニターＬａおよびアンプ１２に接続されているか一目で判る。
【０１０３】
つまり、来店者は、第１〜第４の発光ダイオードｒ１〜ｒ４の点灯状態を見れば、どの機器（カラオケコマンダー２、パソコン４、光ディスクプレーヤー５、持込み携帯形端末６０）が利用できるのか容易に判別できる。                                
【０１０４】
また、接続機器切替用の第１〜第４の押釦スイッチｓ１〜ｓ４、および第１、第２押釦スイッチｇ１、ｇ２は、単投形の押し釦式であるので、押し易いとともに、これらのスイッチを配設するスイッチボックスＳの厚みを薄くできる。
【０１０５】
実施例１の使い勝手が良いカラオケ機器切替装置Ａは、カラオケコマンダー３以外の機器を使う場合も、同じマイクＭを使って歌唱することができる。なお、マイクレシーバー３のアナログの音声信号３２のレベルは、音声ミキサー７１で調整できる。
【０１０６】
実施例１の使い勝手が良いカラオケ機器切替装置Ａは、マイクレシーバー３が二系統の音声信号３１、３２を出力し、一系統側の音声信号２１をカラオケコマンダー３に入力しているので、カラオケコマンダー３の採点機能が損なわれない。
【０１０７】
使い勝手が良いカラオケ機器切替装置Ａは、カラオケ店に来店した来店者が、カラオケコマンダー３とマイクＭを使用せず、下記に示す様にカラオケ以外の娯楽を、来店者本人または仲間達と手軽に楽しむ際に、来店者がスイッチボックスＳの第１押釦スイッチｇ１または第２押釦スイッチｇ２の釦を押して放す反復クリック操作を行うと、第１〜第３の電子ボリュームｋ１〜ｋ３の減衰量を減少または増加させることができるので使い勝手が良い。
【０１０８】
・オンライン映画配信サイトへ、据え置きパソコン４２を使ってアクセスし、大画面と大  迫力音響で、仲間と映画を鑑賞する。
・海外のスポーツのライブ中継配信サイトへ、据え置きパソコンを４２使ってアクセスし  、大画面と迫力音響で、仲間とスポーツ中継を楽しむ。
・オンラインゲームサイトへ、据え置きパソコン４２を使ってアクセスし、大画面と大迫  力音響でプレイする。
・動画配信サイトへ、据え置きパソコン４２を使ってアクセスし、そのサイトの動画を、  大画面と大迫力音響で仲間達と鑑賞する。
【０１０９】
＜変形例＞
ａ．マイクＭは、搬送波を音声信号で変調した電波を使うものであっても良く、ダイナミックマイクであっても良い。
【０１１０】
ｂ．各請求項に記載の持込み携帯形端末は、スマートフォン（アンドロイド、アイフォン）以外に、カラオケルームに持込みが可能な携帯形のゲーム機器（プレイステーション等）であっても良い。
【０１１１】
ｃ．実施例１の使い勝手が良いカラオケ機器切替装置Ａにおいて、カラオケコマンダー３以外の機器が選択されている状態で、来店者がスイッチボックスＳの第１押釦スイッチｇ１または第２押釦スイッチｇ２の釦を押して放す反復クリック操作を行うと、第１〜第３の電子ボリュームｋ１〜ｋ３の減衰量が減少または増加していく構成に加え、第１押釦スイッチｇ１または第２押釦スイッチｇ２の釦を長押して放す長押し操作を行うと、第１〜第３の電子ボリュームｋ１〜ｋ３の減衰量が大きく減少または増加する構成を加えても良い（請求項２に対応）。
【０１１２】
パソコン４、光ディスクプレーヤー５、または持込み携帯形端末６０が出力する音響信号の信号レベルと、音声ミキサー７１が出力する歌唱者の音声が入った調整済音声信号７１の信号レベルとの差が大きい場合には、第１押釦スイッチｇ１または第２押釦スイッチｇ２の釦を長押して放す長押し操作を行い、信号レベルの差が縮まってきたら、第１押釦スイッチｇ１または第２押釦スイッチｇ２の釦を反復クリック操作すれば良い。
【０１１３】
このため、短時間で、パソコン４、光ディスクプレーヤー５、または持込み携帯形端末６０が出力する音響信号の信号レベルを、音声ミキサー７１が出力する歌唱者の音声が入った調整済音声信号の信号レベルに合わせることができる。
【符号の説明】
【０１１４】
１  音響装置
２  マイクレシーバー
３  カラオケコマンダー
４  パソコン
５  光ディスクプレーヤー
６  信号変換器
７  音響映像セレクター
１１  スピーカー
１２  アンプ
２１  一方のアナログの音声信号（音声信号）
２２  他方のアナログの音声信号（音声信号）
３１  ネットワーク
３２  映像信号
３３  歌唱入音響信号
４１  映像信号
４２  音響信号
５１  映像信号
５２  音響信号
６０  携帯形端末
６１  映像信号
６２  音響信号
７１  音声ミキサー
７２  第１の信号重畳回路
７３  第２の信号重畳回路
７４  第３の信号重畳回路
７５  押圧検出回路
７６  マイクロコンピューター
７７  ＬＥＤ通電回路
７８  電子スイッチ
７９  電子ボリューム
ｋ１  第１の電子ボリューム
ｋ２  第２の電子ボリューム
ｋ３  第３の電子ボリューム
４２１  調整済音響信号
４３１  調整済音響信号
４４１  調整済音響信号
７１１  調整済音声信号
７２１  調整済音響信号
７３１  調整済音響信号
７４１  調整済音響信号
Ｓ  スイッチボックス
Ｍ  マイク
ｍ  変調した赤外線（赤外線）
ｓ１  第１の押釦スイッチ
ｓ２  第２の押釦スイッチ
ｓ３  第３の押釦スイッチ
ｓ４  第４の押釦スイッチ
ｂ１  第１の釦
ｂ２  第２の釦
ｂ３  第３の釦
ｂ４  第４の釦
ｒ１  第１のランプ
ｒ２  第２のランプ
ｒ３  第３のランプ
ｒ４  第４のランプ
ｇ１  第１押釦スイッチ
ｇ２  第２押釦スイッチ
ｂ１  第１ランプ
ｂ２  第２ランプ
Ｌｂ  大型モニター（映像装置）
Ｌａ  モニター（映像装置）
ｋ１  第１の電子ボリューム
ｋ２  第２の電子ボリューム
ｋ３  第３の電子ボリューム
【図１】
2020042058.tif 000003
【図２】
2020042058.tif 000004
【図３】
2020042058.tif 000005
【図４】
2020042058.tif 000006
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
第１〜第４の釦（ｂ１、ｂ２、ｂ３、ｂ４）を押圧すると各電気接点が閉成する常開式で単極単投形の機器切替用の第１〜第４の押釦スイッチ（ｓ１、ｓ２、ｓ３、ｓ４）、これら第１〜第４の押釦スイッチ（ｓ１、ｓ２、ｓ３、ｓ４）の近傍に配設される機器確認用の第１〜第４のランプ（ｒ１、ｒ２、ｒ３、ｒ４）、第１、第２釦（ｐ１、ｐ２）を押圧すると各電気接点が閉成する常開式で単極単投形の音響信号レベル調整用の第１、第２押釦スイッチ（ｇ１、ｇ２）、およびこれら第１、第２押釦スイッチ（ｇ１、ｇ２）の近傍に配設される操作確認用の第１、第２ランプ（ｅ１、ｅ２）を上面に配設し、カラオケルーム内に載置される箱状のスイッチボックス（Ｓ）と、
前記カラオケルーム内に設置され、スピーカー（１１）群とアンプ（１２）とを備える音響装置（１）と、
前記カラオケルーム内に設置され、動画や静止画の表示が可能な映像装置（Ｌａ、Ｌｂ）と、
前記カラオケルーム内で使用され、歌唱者が発声する音声を音声電気信号に変換するとともに、この音声電気信号を赤外線や電波に重畳させるマイク（Ｍ）と、
前記カラオケルーム内に設置され、前記音声電気信号が重畳された赤外線（ｍ）や電波を捉えて前記音声電気信号を復調して増幅し、この増幅した音声信号（２１、２２）を二系統出力するマイクレシーバー（２）と、
ネットワーク（３１）を介して配信サーバから配信される多数の楽曲データーを格納した記憶装置を有し、楽曲背景映像の映像信号（３２）と、前記マイクレシーバー（２）が出力する一方の音声信号（２１）を楽曲空演奏の音響信号に重畳した歌唱入音響信号（３３）とを出力するカラオケルーム内に設置されるカラオケコマンダー（３）と、
前記カラオケルーム内に据え置かれ、インターネット（４０）に接続可能で、映像信号（４１）および音響信号（４２）を出力するパソコン（４）と、
各種光ディスクが再生可能であり、映像信号（５１）および音響信号（５２）を出力する前記カラオケルーム内に設置される光ディスクプレーヤー（５）と、
前記カラオケルーム内に持ち込まれた携帯形端末（６０）の出力ポートに接続し、映像信号（６１）および音響信号（６２）を出力する信号変換器（６）と、
前記マイクレシーバー（２）が出力する他方の音声信号（２２）の信号レベルを調整し、この調整済音声信号（７１１）を出力する音声ミキサー（７１）、前記パソコン（４）が出力する前記音響信号（４２）の信号レベルを調整し、この調整済音響信号（４２１）を出力する第１の電子ボリューム（ｋ１）、前記光ディスクプレーヤー（５）が出力する前記音響信号（５２）の信号レベルを調整し、この調整済音響信号（５２１）を出力する第２の電子ボリューム（ｋ２）、前記信号変換器（６）が出力する前記音響信号（６２）の信号レベルを調整し、この調整済音響信号（６２１）を出力する第３の電子ボリューム（ｋ３）、前記音声ミキサー（７１）が出力する前記調整済音声信号（７１１）と、前記第１の電子ボリューム（ｋ１）が出力する前記調整済音響信号（４２１）とを重畳して第１の音声入音響信号（７２１）を出力する第１の信号重畳回路（７２）、前記音声ミキサー（７１）が出力する前記調整済音声信号（７１１）と、前記第２の電子ボリューム（ｋ２）が出力する前記調整済音響信号（５２１）とを重畳して第２の音声入音響信号（７３１）を出力する第２の信号重畳回路（７３）、前記音声ミキサー（７１）が出力する前記調整済音声信号（７１１）と、前記第３の電子ボリューム（ｋ３）が出力する前記調整済音響信号（６２１）とを重畳して第３の音声入音響信号（７４１）を出力する第３の信号重畳回路（７４）、前記第１〜第４の押釦スイッチ（ｓ１、ｓ２、ｓ３、ｓ４）および前記第１、第２押釦スイッチ（ｇ１、ｇ２）の各釦（ｂ１、ｂ２、ｂ３、ｂ４、ｐ１、ｐ２）の押圧を各電気接点の閉成から検出する押圧検出回路（７５）、マイクロコンピューター（７６）、前記第１〜第４のランプ（ｒ１、ｒ２、ｒ３、ｒ４）および第１、第２ランプ（ｅ１、ｅ２）へ通電を行うランプ通電回路（７７）、電子スイッチ（７８）、および電子ボリューム操作回路（７９）を備え、前記スイッチボックス（Ｓ）と接続ケーブルで電気接続される音響映像セレクター（７）とを備えた使い勝手が良いカラオケ機器切替装置（Ａ）であって、
前記マイクロコンピューター（７６）は、
前記第１の釦（ｂ１）のみの押圧を前記押圧検出回路（７５）が検出すると、前記カラオケコマンダー（３）の前記映像信号（３２）および前記歌唱入音響信号（３３）が、それぞれ、前記映像装置（Ｌａ、Ｌｂ）および前記音響装置（１）の前記アンプ（１２）へ入力される様に前記電子スイッチ（７８）を操作するとともに、前記第１のランプ（ｒ１）へ通電を行う様に前記ランプ通電回路（７７）へ指示し、
前記第２の釦（ｂ２）のみの押圧を前記押圧検出回路（７５）が検出すると、前記パソコン（４）が出力する前記映像信号（４１）および前記第１の音声入音響信号（７２１）が、それぞれ、前記映像装置（Ｌａ、Ｌｂ）および前記音響装置（１）の前記アンプ（１２）へ入力される様に前記電子スイッチ（７８）を操作するとともに、前記第２のランプ（ｒ２）へ通電を行う様に前記ランプ通電回路（７７）へ指示し、
前記第３の釦（ｂ３）のみの押圧を前記押圧検出回路（７５）が検出すると、前記光ディスクプレーヤー（５）が出力する前記映像信号（５１）および前記第２の音声入音響信号（７３１）が、それぞれ、前記映像装置（Ｌａ、Ｌｂ）および前記音響装置（１）の前記アンプ（１２）へ入力される様に前記電子スイッチ（７８）を操作するとともに、前記第３のランプ（ｒ３）へ通電を行う様に前記ランプ通電回路（７７）へ指示し、
前記第４の釦（ｂ４）のみの押圧を前記押圧検出回路（７５）が検出すると、前記信号変換器（６）が出力する前記映像信号（６１）および前記第３の音声入音響信号（７４１）が、それぞれ、前記映像装置（Ｌａ、Ｌｂ）および前記音響装置（１）の前記アンプ（１２）へ入力される様に前記電子スイッチ（７８）を操作するとともに、前記第４のランプ（ｒ４）へ通電を行う様に前記ランプ通電回路（７７）へ指示し、
前記カラオケコマンダー（３）以外の機器が選択されている状態で、前記音響信号レベル調整用の前記第１押釦スイッチ（ｇ１）の第１釦（ｐ１）のみを押して放す反復クリック操作を前記押圧検出回路（７５）が検出すると、前記電子ボリューム操作回路（７９）が前記第１〜第３の電子ボリューム（ｋ１、ｋ２、ｋ３）の減衰量を減少させていき、押下時に前記第１ランプ（ｅ１）へ通電を行う様に前記ランプ通電回路（７７）へ指示し、  前記カラオケコマンダー（３）以外の機器が選択されている状態で、前記音響信号レベル調整用の前記第２押釦スイッチ（ｇ２）の第２釦（ｐ２）のみを押して放す反復クリック操作を前記押圧検出回路（７５）が検出すると、前記電子ボリューム操作回路（７９）が前記第１〜第３の電子ボリューム（ｋ１、ｋ２、ｋ３）の減衰量を増加させていき、押下時に前記第２ランプ（ｅ２）へ通電を行う様に前記ランプ通電回路（７７）へ指示することを特徴とする使い勝手が良いカラオケ機器切替装置（Ａ）。
【請求項２】
前記マイクロコンピューター（７６）は、
前記カラオケコマンダー（３）以外の機器が選択されている状態で、前記音響信号レベル調整用の前記第１押釦スイッチ（ｇ１）の第１釦（ｐ１）のみを長押して放す長押し操作を前記押圧検出回路（７５）が検出すると、前記電子ボリューム操作回路（７９）が前記第１〜第３の電子ボリューム（ｋ１、ｋ２、ｋ３）の減衰量を大きく減少させ、長押し時に前記第１ランプ（ｅ１）へ通電を行う様に前記ランプ通電回路（７７）へ指示し、    前記カラオケコマンダー以外の機器が選択されている状態で、前記音響信号レベル調整用の前記第２押釦スイッチ（ｇ２）の第２釦（ｐ２）のみを長押して放す長押し操作を前記押圧検出回路（７５）が検出すると、前記電子ボリューム操作回路（７９）が前記第１〜第３の電子ボリューム（ｋ１、ｋ２、ｋ３）の減衰量を大きく増加させ、長押し時に前記第２ランプ（ｅ２）へ通電を行う様に前記ランプ通電回路（７７）へ指示することを特徴とする請求項１に記載の使い勝手が良いカラオケ機器切替装置（Ａ）。
【手続補正２】
【補正対象書類名】明細書
【補正対象項目名】全文
【補正方法】変更
【補正の内容】
【発明の詳細な説明】
【技術分野】
【０００１】
本発明は、音響映像セレクターを用いた、使い勝手が良いカラオケ機器切替装置に関する。
【背景技術】
【０００２】
カラオケルームに設置されているカラオケシステムは、通常、大形のディスプレイや大迫力の音響装置が、複数の接続ケーブルでカラオケコマンダーに接続されており、来店した複数人の客がカラオケを楽しめる様になっている。
しかし、ディスプレイや音響装置をカラオケ以外の目的（ビデオゲーム、映画鑑賞、テレビの試聴）に使おうとすると、複数のケーブルを繋ぎ替える必要がある。
特許文献１には、映像信号切り替え手段を有するカラオケシステムが記載されている。  特許文献２には、入力セレクタを有するホームシアターが記載されている。
【先行技術文献】
【特許文献】
【０００３】
【特許文献１】特開平１０−２８２９７５号公報
【特許文献２】特開平２０１１−４１２２７号公報
【発明の概要】
【発明が解決しようとする課題】
【０００４】
特許文献１のカラオケシステムでは、カラオケプレーヤの画像以外に、カメラで撮影している客席の映像と、ビデオプレーヤーの再生動画や静止画とを映像信号切り替え手段（入力画像切り替え手段）で切り替えて、別カメラで撮影している歌唱者の映像をはめ込んでいる。
【０００５】
しかし、特許文献１のカラオケシステムは、映像信号切り替え手段がリモコンで制御されるので切替の操作性が悪い（選曲等のコマンダー操作も兼ねているため）とともに、現在の切替状態が一目で判らない。
【０００６】
特許文献２のホームシアターでは、パソコン、カラオケ機器、およびゲーム機器を組み込んでＡＶ機器とし、このＡＶ機器に内蔵した入力セレクタで使う機器を切り替えて、それらのソフトを大画面と迫力音響で提供可能としている。
【０００７】
しかし、全ての機器を組み込んでＡＶ機器としているので、ＡＶ機器が嵩張るとともにメンテナンス性が悪い。また、ＡＶ機器に入力セレクタが内蔵しているので、切替の操作性が悪い（目立たないため）とともに、現在の切替状態が一目で判らない。
【０００８】
また、最近、インターネットに接続したパソコンをカラオケのシステムに繋いで、カラオケルームで下記の娯楽に興じたいというニューズがある。
・オンライン映画を、大画面と大迫力音響で仲間と鑑賞したい。
・大画面と迫力音響で、海外のスポーツのライブ中継を仲間と楽しみたい。
・プロモーション音楽ビデオの配信を行いたい。
・歌手とともに、大画面と大迫力音響で歌唱したい。
・海外のカラオケ楽曲を、大画面と大迫力音響で歌唱したい。
・オンラインゲームを、大画面と大迫力音響でプレイしたい。
・動画配信サイトの動画を、大画面と大迫力音響で仲間と鑑賞したい。
【０００９】
さらに、カラオケルームで下記の娯楽に興じたいという客のニューズもある。
・ＢＤやＤＶＤを持ち込んで、大画面と迫力音響で仲間と鑑賞したい。
・自前の携帯端末（スマートフォン、ノートパソコン、タブレットなど）を持ち込んで  、その携帯端末に格納されているコンテンツを大画面と迫力音響で鑑賞したい。
【００１０】
また、音響映像機器を切り替える場合、下記の課題がある。
来店客の要望に応じて、カラオケコマンダーを含む複数の音響映像機器と、音響映像試聴装置（大画面モニター＋大迫力音響装置）との接続切り替えをカラオケルームの店員が、その都度、行う場合は、そのカラオケルームに出向いて作業を行う必要があるため、時間と手間がかかる。また、接続切り替えを来店客が行う様にすると、その接続変更作業に時間と手間がかかるとともに、誤接続により機器が破損する虞もある。
【００１１】
また、音響映像機器が複数の場合、各音響映像機器から出力される音響信号には、バラツキがあるため、マイクの音声信号と各音響映像機器の音響信号との間にレベル差が生じ易く、快適に歌唱できない場合がある。
【００１２】
つまり、複数の音響映像機器を切り替えるための音響映像セレクターの操作を来店客が容易にでき、現在、どの音響映像機器が音響映像試聴装置に繋がっているか来店客が一見して判り、且つ、マイクの音声信号と音響映像機器の音響信号との間にレベル差を生じさせないことが必要である。
【００１３】
本発明の目的は、カラオケルームの四種類の音響映像機器（カラオケコマンダー、パソコン、光ディスクプレーヤー、来店客自前の携帯形端末）を来店客が簡単な操作で、各音響映像機器と、音響映像装置（アンプ＋モニター）との接続を簡単に切り替えることができ、且つ、マイクの音声信号と音響映像機器の音響信号とのレベルを容易に同等にすることができる使い勝手が良いカラオケ機器切替装置の提供にある。
【課題を解決するための手段】
【００１４】
［請求項１について］
請求項１の使い勝手が良いカラオケ機器切替装置（Ａ）は、カラオケルーム内に載置される箱状のスイッチボックス（Ｓ）と、カラオケルーム内に設置される音響装置（１）、映像装置（Ｌａ、Ｌｂ）、およびマイクレシーバー（２）と、カラオケルーム内に設置されるカラオケコマンダー（３）、パソコン（４）、光ディスクプレーヤー（５）、および信号変換器（６）｛四種類の音響映像機器｝と、カラオケルーム内で使用されるマイク（Ｍ）と、スイッチボックス（Ｓ）と接続ケーブルで電気接続される音響映像セレクター（７）とを備える。
【００１５】
スイッチボックス（Ｓ）は、機器切替用の第１〜第４の押釦スイッチ（ｓ１、ｓ２、ｓ３、ｓ４）と、機器確認用の第１〜第４のランプ（ｒ１、ｒ２、ｒ３、ｒ４）と、音響信号レベル調整用の第１、第２押釦スイッチ（ｇ１、２）と、操作確認用の第１、第２ランプ（ｅ１、ｅ２）とをボックス上面に配設している。
【００１６】
第１〜第４の押釦スイッチ（ｓ１、ｓ２、ｓ３、ｓ４）は、常開式で単極単投形であり、第１〜第４の釦（ｂ１、ｂ２、ｂ３、ｂ４）を押圧すると各電気接点が閉成する構成である。
第１〜第４のランプ（ｒ１、ｒ２、ｒ３、ｒ４）は、第１〜第４の押釦スイッチ（ｓ１、ｓ２、ｓ３、ｓ４）の近傍に配設されている。
第１、第２押釦スイッチ（ｇ１、ｇ２）は、常開式で単極単投形であり、第１、第２釦（ｐ１、ｐ２）を押圧すると各電気接点が閉成する構成である。
第１、第２ランプ（ｅ１、ｅ２）は、第１、第２押釦スイッチ（ｇ１、ｇ２）の近傍に配設されている。
【００１７】
音響装置（１）は、スピーカー（１１）群とアンプ（１２）とを備える。
映像装置（Ｌａ、Ｌｂ）は、動画や静止画の表示が可能である。
【００１８】
マイク（Ｍ）は、歌唱者が発声する音声を音声電気信号に変換するとともに、この音声電気信号を赤外線または電波に重畳させる。
【００１９】
マイクレシーバー（２）は、音声電気信号が重畳された赤外線（ｍ）または電波を捉えて音声電気信号を復調して増幅し、この増幅した音声信号（２１、２２）を二系統出力する。
【００２０】
カラオケコマンダー（３）は、ネットワーク（３１）を介して配信サーバから配信される多数の楽曲データーを格納する記憶装置を有し、楽曲背景映像の映像信号（３２）と、マイクレシーバー（２）が出力する一方の音声信号（２１）を楽曲空演奏の音響信号に重畳した歌唱入音響信号（３３）とを出力する。
【００２１】
パソコン（４）は、インターネット（４０）に接続可能で、映像信号（４１）および音響信号（４２）を出力する。
光ディスクプレーヤー（５）は、各種光ディスクが再生可能であり、映像信号（５１）および音響信号（５２）を出力する。
信号変換器（６）は、来店客がカラオケルーム内へ持ち込んだ、携帯形端末（６０）の出力ポートに接続され、映像信号（６１）および音響信号（６２）を出力する。
【００２２】
音響映像セレクター（７）は、音声ミキサー（７１）と、第１〜第３の電子ボリューム（ｋ１、ｋ２、ｋ３）と、第１〜第３の信号重畳回路（７２、７３、７４）と、押圧検出回路（７５）と、マイクロコンピュータ（７６）と、ランプ通電回路（７７）と、電子スイッチ（７８）と、電子ボリューム操作回路（７９）とを備える。
【００２３】
音声ミキサー（７１）は、マイクレシーバー（２）が出力する他方の音声信号（２２）のレベルを調整し、この調整済音声信号（７１１）を出力する。
【００２４】
第１の電子ボリューム（ｋ１）は、パソコン（４）が出力する音響信号（４２）の信号レベルを調整し、この調整済音響信号（４２１）を出力する。
【００２５】
第２の電子ボリューム（ｋ２）は、光ディスクプレーヤー（５）が出力する音響信号（５２）の信号レベルを調整し、この調整済音響信号（５２１）を出力する。
【００２６】
第３の電子ボリューム（ｋ３）は、信号変換器（６）が出力する音響信号（６２）の信号レベルを調整し、この調整済音響信号（６２１）を出力する。
【００２７】
第１の信号重畳回路（７２）は、音声ミキサー（７１）が出力する調整済音声信号（７１１）と、第１の電子ボリューム（ｋ１）が出力する調整済音響信号（４２１）とを重畳して第１の音声入音響信号（７２１）を出力する。
【００２８】
第２の信号重畳回路（７３）は、音声ミキサー（７１）が出力する調整済音声信号（７１１）と、第２の電子ボリューム（ｋ２）が出力する調整済音響信号（５２１）とを重畳して第２の音声入音響信号（７３１）を出力する。
【００２９】
第３の信号重畳回路（７４）は、音声ミキサー（７１）が出力する調整済音声信号（７１１）と、第３の電子ボリューム（ｋ３）が出力する調整済音響信号（６２１）とを重畳して第３の音声入音響信号（７４１）を出力する。
【００３０】
押圧検出回路（７５）は、第１〜第４の押釦スイッチ（ｓ１、ｓ２、ｓ３、ｓ４）および第１、第２押釦スイッチ（ｇ１、ｇ２）の各釦（ｂ１、ｂ２、ｂ３、ｂ４、ｐ１、ｐ２）の押圧を、各電気接点が閉成したことにより検出する。
【００３１】
音響映像セレクター（７）のマイクロコンピューター（７６）は、下記の様に作動する。
来店者が第１の押釦スイッチ（ｓ１）の第１の釦（ｂ１）を押圧すると、第１の釦（ｂ１）のみの押圧を押圧検出回路（７５）が検出するため、マイクロコンピューター（７６）は、カラオケコマンダー（３）の映像信号（３２）および歌唱入音響信号（３３）が、それぞれ、映像装置（Ｌａ、Ｌｂ）および音響装置（１）のアンプ（１２）へ入力される様に電子スイッチ（７８）を操作するとともに、第１のランプ（ｒ１）へ通電を行う様にランプ通電回路（７７）へ指示する。
【００３２】
来店者が第２の押釦スイッチ（ｓ２）の第２の釦（ｂ２）を押圧すると、第２の釦（ｂ２）のみの押圧を押圧検出回路（７５）が検出するため、マイクロコンピューター（７６）は、パソコン（４）が出力する映像信号（４１）および第１の音声入音響信号（７２１）が、それぞれ、映像装置（Ｌａ、Ｌｂ）および音響装置（１）のアンプ（１２）へ入力される様に電子スイッチ（７８）を操作するとともに、第２のランプ（ｒ２）へ通電を行う様にランプ通電回路（７７）へ指示する。
【００３３】
来店者が第３の押釦スイッチ（ｓ３）の第３の釦（ｂ３）を押圧すると、第３の釦（ｂ３）のみの押圧を押圧検出回路（７５）が検出するため、マイクロコンピューター（７６）は、光ディスクプレーヤー（５）が出力する映像信号（５１）および第２の音声入音響信号（７３１）が、それぞれ、映像装置（Ｌａ、Ｌｂ）および音響装置（１）のアンプ（１２）へ入力される様に電子スイッチ（７８）を操作するとともに、第３のランプ（ｒ３）へ通電を行う様にランプ通電回路（７７）へ指示する。
【００３４】
来店者が第４の押釦スイッチ（ｓ４）の第４の釦（ｂ４）を押圧すると、第４の釦（ｂ４）のみの押圧を押圧検出回路（７５）が検出するため、マイクロコンピューター（７６）は、信号変換器（６）が出力する映像信号（６１）および第３の音声入音響信号（７４１）が、それぞれ、映像装置（Ｌａ、Ｌｂ）および音響装置（１）のアンプ（１２）へ入力される様に電子スイッチ（７８）を操作するとともに、第４のランプ（ｒ４）へ通電を行う様にランプ通電回路（７７）へ指示する。
【００３５】
カラオケコマンダー（３）以外の機器が選択されている状態で、来店者が第１押釦スイッチ（ｇ１）の第１釦（ｐ１）のみを押して放す反復クリック操作を押圧検出回路（７５）が検出すると、電子ボリューム操作回路（７９）が第１〜第３の電子ボリューム（ｋ１、ｋ２、ｋ３）の減衰量を減少させていく様にマイクロコンピューター（７６）が指示するため、電子ボリューム操作回路（７９）が第１〜第３の電子ボリューム（ｋ１、ｋ２、ｋ３）の減衰量を減少させていく。また、第１釦（ｐ１）の押下時に第１ランプ（ｅ１）へ通電を行う様にランプ通電回路（７７）へマイクロコンピューター（７６）が指示するため、押している間、第１ランプ（ｅ１）が点灯する。
【００３６】
カラオケコマンダー（３）以外の機器が選択されている状態で、来店者が第２押釦スイッチ（ｇ２）の第２釦（ｐ２）のみを押して放す反復クリック操作を押圧検出回路（７５）が検出すると、電子ボリューム操作回路（７９）が第１〜第３の電子ボリューム（ｋ１、ｋ２、ｋ３）の減衰量を増加させていく様にマイクロコンピューター（７６）が指示するため、電子ボリューム操作回路（７９）が第１〜第３の電子ボリューム（ｋ１、ｋ２、ｋ３）の減衰量を増加させていく。また、第２釦（ｐ２）の押下時に第２ランプ（ｅ２）へ通電を行う様にランプ通電回路へマイクロコンピューター（７６）が指示するため、押している間、第２ランプ（ｅ２）が点灯する。
【００３７】
請求項１の使い勝手が良いカラオケ機器切替装置は、下記の利点を有する。
カラオケ店に来店した来店者（同伴者も含む）が、第１〜第４の押釦スイッチ（ｓ１、ｓ２、ｓ３、ｓ４）の第１〜第４の釦（ｂ１、ｂ２、ｂ３、ｂ４）の何れかを押圧するだけで、四種類の音響映像機器｛カラオケコマンダー（３）、パソコン（４）、光ディスクプレーヤー（５）、携帯形端末（６０）｝を簡単に切り替えることができる。
【００３８】
第１〜第４の押釦スイッチ（ｓ１、ｓ２、ｓ３、ｓ４）は、第１〜第４の釦（ｂ１、ｂ２、ｂ３、ｂ４）の何れか１つを押圧する（押圧中、電気接点が閉になる）と、押圧した第１〜第４の押釦スイッチ（ｓ１、ｓ２、ｓ３、ｓ４）に対応する第１〜第４のランプ（ｒ１、ｒ２、ｒ３、ｒ４）が点灯状態になるので、現在、どの機器が、音響装置（１）および映像装置（Ｌａ、Ｌｂ）に接続されているか一目で判る、このため、来店者以外に切替操作しなかった同伴者でも、第１〜第４のランプ（ｒ１、ｒ２、ｒ３、ｒ４）の点灯状態を見れば、どの機器｛カラオケコマンダー（３）、パソコン（４）、光ディスクプレーヤー（５）、携帯形端末（６０）｝が利用できるのか容易に判別できる。
また、第１〜第４の押釦スイッチ（ｓ１、ｓ２、ｓ３、ｓ４）は、スイッチ体長が短い、常開式で単極単投形であるので、押し易いとともに、第１〜第４の押釦スイッチ（ｓ１、ｓ２、ｓ３、ｓ４）を配設するスイッチボックス（Ｓ）が嵩張らない。
【００３９】
カラオケコマンダー（３）以外の機器が選択されている状態で、来店者がスイッチボックス（Ｓ）の第１押釦スイッチ（ｇ１）の第１釦（ｐ１）または第２押釦スイッチ（ｇ１）の第２釦（ｐ２）を押して放す反復クリック操作を行うと、電子ボリューム操作回路（７９）が第１〜第３の電子ボリューム（ｋ１、ｋ２、ｋ３）の減衰量を、減少または増加させていく構成である。
【００４０】
このため、来店者がスイッチボックス（Ｓ）の第１、第２押釦スイッチ（ｇ１、ｇ２）を反復クリック操作するだけで、四種類の音響映像機器｛パソコン（４）、光ディスクプレーヤー（５）、携帯形端末（６０）｝が出力する音響信号の信号レベルを、音声ミキサー（７１）が出力する歌唱者の音声が入った調整済音声信号（７１１）の信号レベルにスイッチボックス（Ｓ）側で簡単に合わせることができる。なお、マイク（Ｍ）を使わない場合は、何れかの音響映像機器｛パソコン（４）、光ディスクプレーヤー（５）、携帯形端末（６０）｝の音響信号の信号レベルをスイッチボックス（Ｓ）側で調整することができる。
【００４１】
また、第１、第２押釦スイッチ（ｇ１、ｇ２）の押下時に、第１ランプまたは第２ランプ（ｅ１、ｅ２）が点灯する構成であるため、レベル合わせのための反復クリック操作が受け入れられたことを、来店者がランプ点灯を見れば確認することができる。
【００４２】
［請求項２について］
カラオケコマンダー（３）以外の機器が選択されている状態で、来店者がスイッチボックス（Ｓ）の第１押釦スイッチ（ｇ１）の第１釦（ｐ１）、または第２押釦スイッチ（ｇ２）の第２釦（ｐ２）を押して放す反復クリック操作を行うと、第１〜第３の電子ボリューム（ｋ１、ｋ２、ｋ３）の減衰量が減少または増加していく構成に加え、第１押釦スイッチ（ｇ１）の第１釦（ｐ１）、または第２押釦スイッチ（ｇ２）の第２釦（ｐ２）を長押して放す長押し操作を行うと、第１〜第３の電子ボリューム（ｋ１、ｋ２、ｋ３）の減衰量が大きく減少または増加する構成である。
【００４３】
パソコン（４）、光ディスクプレーヤー（５）、または携帯形端末（６０）が出力する音響信号の信号レベルと、音声ミキサー（７１）が出力する歌唱者の音声が入った調整済音声信号（７１１）の信号レベルとの差が大きい場合には、第１押釦スイッチ（ｇ１）の第１釦（ｐ１）、または第２押釦スイッチ（ｇ２）の第２釦（ｐ２）を長押して放す長押し操作を行い、信号レベルの差が縮まってきたら、第１押釦スイッチ（ｇ１）の第１釦（ｐ１）または第２押釦スイッチ（ｇ２）の第２釦（ｐ２）を反復クリック操作すれば良い。
【００４４】
このため、短時間で、パソコン（４）、光ディスクプレーヤー（５）、または携帯形端末（６０）が出力する音響信号の信号レベルを、音声ミキサー（７１）が出力する歌唱者の音声が入った調整済音声信号（７１１）の信号レベルに合わせることができる。
【図面の簡単な説明】
【００４５】
【図１】本発明の実施例１に係る使い勝手が良いカラオケ機器切替装置のブロック図である。
【図２】そのカラオケ機器切替装置のスイッチボックスの説明図である。
【図３】接続機器の切り替えを行う際のマイクロコンピューターの作動を示すフローチャートである。
【図４】電子ボリュームの減衰量の調整を行う際のマイクロコンピューターの作動を示すフローチャートである。
【発明を実施するための形態】
【００４６】
使い勝手が良いカラオケ機器切替装置は、カラオケコマンダー以外の機器が選択されている状態で、来店者がスイッチボックスの第１押釦スイッチの第１釦または第２押釦スイッチの第２釦を押して放す反復クリック操作を行うと、第１〜第３の電子ボリュームの減衰量が減少または増加していく構成である。
このため、パソコン、光ディスクプレーヤー、または携帯形端末が出力する音響信号の信号レベルを、音声ミキサーが出力する歌唱者の音声が入った調整済音声信号の信号レベルに合わせることができる。
【実施例１】
【００４７】
本発明の実施例１に係る使い勝手が良いカラオケ機器切替装置Ａ（請求項１に対応）を図１〜図４に基づいて説明する。
使い勝手が良いカラオケ機器切替装置Ａは、箱状のスイッチボックスＳと、音響装置１と、映像装置であるモニターＬａおよび大形モニタＬｂと、マイクＭと、マイクレシーバー２と、カラオケコマンダー３と、パソコン４と、光ディスクプレーヤー５と、信号変換器６と、音響映像セレクター７とを備える（図１、図２参照）。
【００４８】
カラオケルームＫ内に載置されるスイッチボックスＳは、ボックス上面Ｕに、機器切替用の第１〜第４の押釦スイッチｓ１〜ｓ４と、接続機器確認用の第１〜第４の発光ダイオードｒ１〜ｒ４と、音響信号レベル調整用の第１、第２押釦スイッチｇ１、ｇ２と、操作確認用の第１、第２発光ダイオードｅ１、ｅ２とを配設している。
【００４９】
ボックス上面Ｕの図示下側に位置する第１〜第４の押釦スイッチｓ１〜ｓ４は、略正方形の第１〜第４の釦ｂ１〜ｂ４を押圧操作すると、各電気接点が閉成する単極単投形の開閉器である。
第１〜第４の釦ｂ１〜ｂ４の図示上側には、カラオケコマンダー３、パソコン４、光ディスクプレーヤー５、および携帯形端末６０の信号変換器６を意味する（１）（２）（３）（４）が印刷されている。
第１〜第４の発光ダイオードｒ１〜ｒ４は、それぞれ、（１）（２）（３）（４）の図示上側に配設されている。
【００５０】
第１、第２押釦スイッチｇ１、ｇ２は、ボックス上面Ｕの図示右側に位置し、上矢印（↑）および下矢印（↓）形状の第１、第２釦ｐ１、ｐ２を押圧すると各電気接点が閉成する常開式で単極単投形の開閉器である。
【００５１】
第１、第２発光ダイオードｅ１、ｅ２は、それぞれ、第１釦ｐ１の図示上方のボックス上面Ｕ、第２釦ｐ２の図示下方のボックス上面Ｕに配設されている。
【００５２】
音響装置１は、スピーカー１１、…１１群と、ライン入力端子（ＲＣＡ端子  Ｒ／Ｌ）を有するアンプ１２とにより構成されている。
【００５３】
モニターＬａ、大形モニターＬｂは、ＨＤＭＩ入力端子を有する普通サイズ、大形サイズのプラズマディスプレイであり、動画や静止画の表示が可能である。
【００５４】
マイクＭは、赤外線発光部をグリップｇに設けた赤外線伝送方式のコンデンサマイクである。
このマイクＭは、スピーカー１１、…１１群から発せられる音響およびモニターＬａおよび大形モニタＬｂに表示される映像に合わせて歌唱者が発声する音声を音声電気信号に変換し、この音声電気信号で赤外線を変調し、この変調した赤外線ｍがマイクレシーバー３へ向けて発射される。
【００５５】
マイクレシーバー２は、マイクＭから発射された赤外線ｍから音声電気信号を復調して増幅し、この増幅したアナログの音声信号２１、２２を、ライン出力端子から出力（二系統）する。
【００５６】
カラオケコマンダー３は、ネットワーク３１を介して配信サーバから配信される多数の楽曲データーを格納するＨＤＤ（記憶装置）を有する。
このカラオケコマンダー３は、楽曲背景映像のデジタル映像信号３２と、マイクレシーバー２が出力する一方のアナログの音声信号２１を楽曲空演奏の音響信号に重畳したアナログの歌唱入音響信号３３とを、ＨＤＭＩ出力端子およびライン出力端子から音響映像セレクター７へ出力する。
【００５７】
インターネット４０に接続可能なパソコン４は、ＨＤＭＩ出力端子からデジタル映像信号４１を音響映像セレクター７へ出力し、ライン出力端子からアナログの音響信号４２を第１の電子ボリュームｋ１へ出力する。
【００５８】
光ディスクプレーヤー（Blu-ray Disc）５は、BD-VideoやDVD -Videoの再生が可能な再生専用の映像機器であり、歌唱者や同伴者がカラオケルーム内へ持ち込んだ、BD-VideoやDVD -Videoの再生が可能である。
この光ディスクプレーヤー５は、ＨＤＭＩ出力端子からデジタル映像信号５１を音響映像セレクター７へ出力し、ライン出力端子からアナログの音響信号５２を第２の電子ボリュームｋ２へ出力する。
【００５９】
信号変換器６は、ＨＤＭＩコンバーターであり、来店客の持込み携帯形端末６０の出力ポートに接続し、デジタル映像信号６１を音響映像セレクター７へ出力し、アナログの音響信号６２を第３の電子ボリュームｋ３へ出力する。
この信号変換器６は、は、二種類、用意され、Ｌｉｇｈｔｎｉｎｇ出力（アイフォン系）またはＭＨＬ出力（アンドロイド系）をＨＤＭＩ出力に変換する。
【００６０】
音響映像セレクター７は、音声ミキサー７１と、第１〜第３の音響信号重畳回路７２〜７４と、第１〜第３の電子ボリュームｋ１〜ｋ３と、押圧検出回路７５、マイクロコンピューター７６、ＬＥＤ通電回路７７、電子スイッチ７８、および電子ボリューム操作回路７９を有するセレクター本体７０とからなる。
【００６１】
音声ミキサー７１は、マイクレシーバー２が出力する他方のアナログの音声信号２２の信号レベルを調整し、この調整済音声信号７１１を第１〜第３の音響信号重畳回路７２〜７４へ出力する。
【００６２】
第１の電子ボリュームｋ１は、パソコン４が出力する音響信号４２の信号レベルを調整し、この調整済音響信号４２１を出力する。
【００６３】
第１の音響信号重畳回路７２は、音声ミキサー７１が出力する調整済音声信号７１１と、第１の電子ボリュームｋ１が出力する調整済音響信号４２１とを重畳して第１の音声入音響信号７２１をセレクター本体７０へ出力する。
【００６４】
第２の電子ボリュームｋ２は、光ディスクプレーヤー５が出力する音響信号５２の信号レベルを調整し、この調整済音響信号５２１を出力する。
【００６５】
第２の音響信号重畳回路７３は、音声ミキサー７１が出力する調整済音声信号７１１と、第２の電子ボリュームｋ２が出力する調整済音響信号５２１とを重畳して第２の音声入音響信号７３１をセレクター本体７０へ出力する。
【００６６】
第３の電子ボリュームｋ３は、信号変換器６が出力する音響信号６２の信号レベルを調整し、この調整済音響信号６２１を出力する。
【００６７】
第３の音響信号重畳回路７４は、音声ミキサー７１が出力する調整済音声信号７１１と、第３の電子ボリュームｋ３が出力する調整済音響信号６２１とを重畳して第３の音声入音響信号７４１をセレクター本体７０へ出力する。
【００６８】
押圧検出回路７５は、第１〜第４の押釦スイッチｓ１〜ｓ４の第１〜第４の釦ｂ１〜ｂ４、および第１、第２押釦スイッチｇ１、ｇ２の第１、第２釦ｐ１、ｐ２が押圧されたか否かを、各押釦スイッチの電気接点の閉成に基づいて検知する回路である。
【００６９】
ＬＥＤ通電回路７７は、第１〜第４の発光ダイオードｒ１〜ｒ４および第１、第２発光ダイオードｅ１、ｅ２へ通電を行う回路である。
【００７０】
音響映像セレクター７のマイクロコンピューター７６は、第１〜第４の押釦スイッチｓ１〜ｓ４または第１、第２押釦スイッチｇ１、ｇ２の何れかの釦が押圧されたか否かを下記の様に判別する。
＜第１〜第４の押釦スイッチｓ１〜ｓ４の押圧判別＞
切替装置の起動時は、図３のステップｓ１で、マイクロコンピューター７６は、第１〜第４の押釦スイッチｓ１〜ｓ４の全ての電気接点を、みなし開成状態（オフ状態）にホールドし、ステップｓ２へ進む。        
みなし開成状態とは、そのホールドした押釦スイッチの電気接点が開成状態を維持している様にマイクロコンピューター７６が見なすことである。
【００７１】
図３のステップｓ２で、マイクロコンピューター７６は、何れかの釦が押圧されたか否かを押圧検出回路７５の検知に基づいて判別し、第１〜第４の釦ｂ１〜ｂ４の何れかの釦が押圧された場合にはステップｓ３へ進み、何れの釦も押圧されない場合にはステップｓ２で待機する。
【００７２】
図３のステップｓ３で、マイクロコンピューター７６は、ステップｓ２で押圧を検知した押釦スイッチをみなし閉成状態（オン状態）にホールドし、ステップｓ４へ進む。      みなし閉成状態とは、押圧を解除しても、そのホールドした押釦スイッチの電気接点が閉成状態を維持している様にマイクロコンピューター７６が見なすことである。
【００７３】
図３のステップｓ４で、マイクロコンピューター７６は、ステップｓ２で押圧を検知した押釦スイッチに対応する発光ダイオードが点灯状態になる様にＬＥＤ通電回路７７に指示し、該当する発光ダイオードが点灯する。
【００７４】
図３のステップｓ５で、マイクロコンピューター７６は、ステップｓ２（または前回のステップｓ５）で検知した押釦スイッチの釦とは異なる別の釦が押圧されたか否かを押圧検出回路７５の検知に基づいて判別し、別の押釦スイッチの釦が押圧された場合（ＹＥＳ〜にはステップｓ６へ進み、別の押釦スイッチの釦が押圧されない場合（ＮＯ）にはステップｓ５で待機する。
【００７５】
図３のステップｓ６で、マイクロコンピューター７６は、ステップｓ３で、みなし閉成状態（オン状態）にホールドしている押釦スイッチのホールドを解除し、ステップｓ７へ進む。
【００７６】
図３のステップｓ７で、マイクロコンピューター７６は、ステップｓ６で解除した押釦スイッチに対応する発光ダイオードを消灯状態にし、ステップｓ８へ進む。
【００７７】
図３のステップｓ８で、マイクロコンピューター７６は、ステップｓ５で押圧を検知した押釦スイッチをみなし閉成状態（オン状態）にホールドし、ステップｓ９へ進む。
みなし閉成状態とは、押圧を解除しても、そのホールドした押釦スイッチの電気接点が閉成状態を維持している様にマイクロコンピューター７６が見なすことである。
【００７８】
図３のステップｓ９で、マイクロコンピューター７６は、ステップｓ８で、みなし閉成状態（オン状態）にホールドした押釦スイッチに対応する発光ダイオードを点灯状態にし、ステップｓ５へ戻る。
【００７９】
また、音響映像セレクター７のマイクロコンピューター７６は、ステップｓ１〜ステップｓ９を実行中に、みなし閉成状態（オン状態）にホールドした押釦スイッチ（第１〜第４の押釦スイッチｓ１〜ｓ４の何れか１つ）およびその押釦スイッチに対応して点灯する発光ダイオードに基づいて電子スイッチ７８を制御する。
【００８０】
＜第１、第２押釦スイッチｇ１、ｇ２の押圧判別＞
図４のステップｓｔ１で、マイクロコンピューター７６は、現在の接続機器がカラオケコマンダー３以外であるか否かを判別し、接続機器がカラオケコマンダー３以外の機器である場合（ＹＥＳ）はステップｓｔ２へ進み、接続機器がカラオケコマンダー３の場合（ＮＯ）の場合はステップｓｔ１で待機する。
【００８１】
ステップｓｔ２で、マイクロコンピューター７６は、第１〜第３の電子ボリュームｋ１〜ｋ３の減衰量が５０％になる様に電子ボリューム操作回路７９に指示し、ステップｓｔ３へ進む。
【００８２】
ステップｓｔ３で、マイクロコンピューター７６が、押圧検出回路７５からの信号に基づいて第１押釦スイッチｇ１のみの追圧を検知すると、ステップｓｔ４へ進み、追圧を検知しない場合（ＮＯ）にはステップｓｔ８へ進む。
【００８３】
ステップｓｔ４で、マイクロコンピューター７６は、第１〜第３の電子ボリュームｋ１〜ｋ３の減衰量が減少（１回のクリック操作で−１％）する様に、電子ボリューム操作回路７９に指示し、ステップｓｔ５へ進む。
【００８４】
ステップｓｔ５で、マイクロコンピューター７６は、第１発光ダイオードｅ１が点灯する様に、ＬＥＤ通電回路７７へ指示し、ステップｓｔ６へ進む。これにより、第１発光ダイオードｅ１が点灯（第１押釦スイッチｇ１の押圧期間）する。
【００８５】
ステップｓｔ６で、マイクロコンピューター７６が、押圧検出回路７５からの信号に基づいて第１押釦スイッチｇ１の追圧解除が成されたか否かを判別し、追圧解除が成された場合（ＹＥＳ）は、ステップｓｔ７へ進み、追圧中の場合（ＮＯ）にはステップｓｔ５へ戻る。
【００８６】
ステップｓｔ７で、マイクロコンピューター７６は、第１発光ダイオードｅ１が消灯する様に、ＬＥＤ通電回路７７へ指示し、ステップｓｔ３へ戻る。これにより、第１発光ダイオードｅ１が消灯（第１押釦スイッチｇ１の押圧解除時）する。
【００８７】
ステップｓｔ８で、マイクロコンピューター７６が、押圧検出回路７５からの信号に基づいて第２押釦スイッチｇ２のみの追圧を検知すると、ステップｓｔ９へ進み、追圧を検知しない場合（ＮＯ）にはステップｓｔ３へ戻る。
【００８８】
ステップｓｔ９で、マイクロコンピューター７６は、第１〜第３の電子ボリュームｋ１〜ｋ３の減衰量が増加（１回のクリック操作で＋１％）する様に、電子ボリューム操作回路７９に指示し、ステップｓｔ１０へ進む。
【００８９】
ステップｓ１０で、マイクロコンピューター７６は、第２発光ダイオードｅ２が点灯する様に、ＬＥＤ通電回路７７へ指示し、ステップｓｔ１１へ進む。これにより、第２発光ダイオードｅ２が点灯（第２押釦スイッチｇ２の押圧期間）する。
【００９０】
ステップｓｔ１１で、マイクロコンピューター７６が、押圧検出回路７５からの信号に基づいて第２押釦スイッチｇ２の追圧解除が成されたか否かを判別し、追圧解除が成された場合（ＹＥＳ）は、ステップｓｔ１２へ進み、追圧中の場合（ＮＯ）にはステップｓ１０へ戻る。
【００９１】
ステップｓｔ１２で、マイクロコンピューター７６は、第２発光ダイオードｅ２が消灯する様に、ＬＥＤ通電回路７７へ指示し、ステップｓｔ３へ戻る。これにより、第２発光ダイオードｅ２が消灯（第２押釦スイッチｇ２の押圧解除時）する。
【００９２】
電子スイッチ７８は、半導体（トランジスタやＦＥＴ等）により構成され、四種類の音響映像機器（カラオケコマンダー３、パソコン４、光ディスクプレーヤー５、信号変換器６）と、映像装置（大形モニターＬｂ、モニターＬｓ）および音響装置１（アンプ１２）との接続を下記の様に切り替える。
【００９３】
第１の押釦スイッチｓ１が、みなし閉成状態（オン状態）にホールドされた状態では、マイクロコンピューター７６が電子スイッチ７８を操作して、カラオケコマンダー３が出力する楽曲背景映像のデジタル映像信号３２を分配器ｓｐを介して大形モニターＬｂ、モニターＬａへ案内し、カラオケコマンダー３が出力するアナログの歌唱入音響信号３３を音響装置１のアンプ１２へ案内する。また、第１の発光ダイオードｒ１へ通電を行う様にマイクロコンピューター５６がＬＥＤ通電回路７７へ指示する。
【００９４】
第２の押釦スイッチｓ２が、みなし閉成状態（オン状態）にホールドされた状態では、マイクロコンピューター７６が電子スイッチ７８を操作して、パソコン４２が出力するデジタル映像信号４１を分配器ｓｐを介して大形モニターＬｂ、モニターＬａへ案内し、第１の音響信号重畳回路７２が出力するアナログの第１の音響信号７２１を音響装置１のアンプ１２へ案内する。
また、第２の発光ダイオードｒ２へ通電を行う様にマイクロコンピューター５６がＬＥＤ通電回路７７へ指示する。
【００９５】
第３の押釦スイッチｓ３が電気的に閉成状態（オン状態）にホールドされた状態では、マイクロコンピューター７６が電子スイッチ７８を操作して、光ディスクプレーヤー５が出力するデジタル映像信号５１を分配器ｓｐを介して大形モニターＬｂ、モニターＬａへ案内し、第２の音響信号重畳回路７３が出力するアナログの第２の音響信号７３１を音響装置１のアンプ１２へ案内する。また、第３の発光ダイオードｒ３へ通電を行う様にマイクロコンピューター７６がＬＥＤ通電回路７７へ指示する。
【００９６】
第４の押釦スイッチｓ４が電気的に閉成状態（オン状態）にホールドされた状態では、マイクロコンピューター７６が電子スイッチ７８を操作して、ＨＤＭＩコンバーターである信号変換器６が出力するデジタル映像信６１を分配器ｓｐを介して大形モニターＬｂ、モニターＬａへ案内し、第３の音響信号重畳回路７４が出力するアナログの第３の音響信号７４１を音響装置１のアンプ１２へ案内する。
また、第４の発光ダイオードｒ４へ通電を行う様にマイクロコンピューター７６がＬＥＤ通電回路７７へ指示する。
【００９７】
実施例１の使い勝手が良いカラオケ機器切替装置Ａは、下記の利点を有する。
切替え音響映像機器が複数（カラオケコマンダー３、パソコン４、光ディスクプレーヤー５、持込み携帯形端末６０）であるので、各音響映像機器から出力される音響信号にバラツキが生じ、マイクＭの音声信号と各音響映像機器の音響信号との間にレベル差が生じ易い（快適に歌唱できない）。
【００９８】
しかし、本実施例の使い勝手が良いカラオケ機器切替装置Ａは、カラオケコマンダー３以外の機器が選択されている状態で、来店者がスイッチボックスＳの第１押釦スイッチｇ１または第２押釦スイッチｇ２の釦を押して放す反復クリック操作を行うと、電子ボリューム操作回路７９が第１〜第３の電子ボリュームｋ１〜ｋ３の減衰量を、減少または増加させていく構成である。
【００９９】
この構成により、来店者がスイッチボックスＳの第１スイッチｇ１、第２押釦スイッチｇ２を反復クリック操作するだけで、パソコン４、光ディスクプレーヤー５、または携帯形端末６０が出力する音響信号の信号レベルを、音声ミキサー７１が出力する歌唱者の音声が入った調整済音声信号７１の信号レベルに簡単に合わせることができ、使い勝手が良い。
【０１００】
また、第１、第２押釦スイッチｇ１、ｇ２の押下時に、第１ランプｅ１または第２ランプｅ２が点灯する構成であるため、レベル合わせのための反復クリック操作が受け入れられたことを、押圧操作する来店者がランプ点灯を見ることにより確認することができる。  
【０１０１】
カラオケ店に来店した歌唱者または同伴者が、第１〜第４の押釦スイッチｓ１〜ｓ２の第１〜第４の釦ｂ１〜ｂ４の何れかを指で押圧して指を離せば、四種類の機器（カラオケコマンダー３、パソコン４、光ディスクプレーヤー５、持込み携帯形端末６０）を簡単に切り替えることができる。
【０１０２】
第１〜第４の押釦スイッチｓ１〜ｓ４は、単投形で、第１〜第４の釦ｂ１〜ｂ４の何れか１つを押圧する（押圧中、電気接点が閉になる）と、押圧した第１〜第４の押釦スイッチｓ１〜ｓ４に対応する第１〜第４の発光ダイオードｒ１〜ｒ４が点灯するので、現在、どの機器が大形モニターＬｂ、モニターＬａおよびアンプ１２に接続されているか一目で判る。
【０１０３】
つまり、来店者は、第１〜第４の発光ダイオードｒ１〜ｒ４の点灯状態を見れば、どの機器（カラオケコマンダー２、パソコン４、光ディスクプレーヤー５、持込み携帯形端末６０）が利用できるのか容易に判別できる。                                
【０１０４】
また、接続機器切替用の第１〜第４の押釦スイッチｓ１〜ｓ４、および第１、第２押釦スイッチｇ１、ｇ２は、単投形の押し釦式であるので、押し易いとともに、これらのスイッチを配設するスイッチボックスＳの厚みを薄くできる。
【０１０５】
実施例１の使い勝手が良いカラオケ機器切替装置Ａは、カラオケコマンダー３以外の機器を使う場合も、同じマイクＭを使って歌唱することができる。なお、マイクレシーバー３のアナログの音声信号３２のレベルは、音声ミキサー７１で調整できる。
【０１０６】
実施例１の使い勝手が良いカラオケ機器切替装置Ａは、マイクレシーバー３が二系統の音声信号３１、３２を出力し、一系統側の音声信号２１をカラオケコマンダー３に入力しているので、カラオケコマンダー３の採点機能が損なわれない。
【０１０７】
使い勝手が良いカラオケ機器切替装置Ａは、カラオケ店に来店した来店者が、カラオケコマンダー３とマイクＭを使用せず、下記に示す様にカラオケ以外の娯楽を、来店者本人または仲間達と手軽に楽しむ際に、来店者がスイッチボックスＳの第１押釦スイッチｇ１または第２押釦スイッチｇ２の釦を押して放す反復クリック操作を行うと、第１〜第３の電子ボリュームｋ１〜ｋ３の減衰量を減少または増加させることができるので使い勝手が良い。
【０１０８】
・オンライン映画配信サイトへ、据え置きパソコン４２を使ってアクセスし、大画面と大  迫力音響で、仲間と映画を鑑賞する。
・海外のスポーツのライブ中継配信サイトへ、据え置きパソコンを４２使ってアクセスし  、大画面と迫力音響で、仲間とスポーツ中継を楽しむ。
・オンラインゲームサイトへ、据え置きパソコン４２を使ってアクセスし、大画面と大迫  力音響でプレイする。
・動画配信サイトへ、据え置きパソコン４２を使ってアクセスし、そのサイトの動画を、  大画面と大迫力音響で仲間達と鑑賞する。
【０１０９】
＜変形例＞
ａ．マイクＭは、搬送波を音声信号で変調した電波を使うものであっても良く、ダイナミックマイクであっても良い。
【０１１０】
ｂ．各請求項に記載の持込み携帯形端末は、スマートフォン（アンドロイド、アイフォン）以外に、カラオケルームに持込みが可能な携帯形のゲーム機器（プレイステーション等）であっても良い。
【０１１１】
ｃ．実施例１の使い勝手が良いカラオケ機器切替装置Ａにおいて、カラオケコマンダー３以外の機器が選択されている状態で、来店者がスイッチボックスＳの第１押釦スイッチｇ１の第１釦ｐ１または第２押釦スイッチｇ２の第２釦ｐ２を押して放す反復クリック操作を行うと、第１〜第３の電子ボリュームｋ１〜ｋ３の減衰量が減少または増加していく構成に加え、第１押釦スイッチｇ１の第１釦ｐ１または第２押釦スイッチｇ２の第２釦ｐ２を長押して放す長押し操作を行うと、第１〜第３の電子ボリュームｋ１〜ｋ３の減衰量が大きく減少または増加する構成を加えても良い（請求項２に対応）。
【０１１２】
パソコン４、光ディスクプレーヤー５、または持込み携帯形端末６０が出力する音響信号の信号レベルと、音声ミキサー７１が出力する歌唱者の音声が入った調整済音声信号７１の信号レベルとの差が大きい場合には、第１押釦スイッチｇ１の第１釦ｐ１または第２押釦スイッチｇ２の第２釦ｐ２を長押して放す長押し操作を行い、信号レベルの差が縮まってきたら、第１押釦スイッチｇ１の第１釦ｐ１または第２押釦スイッチｇ２の第２釦ｐ２を反復クリック操作すれば良い。
【０１１３】
このため、短時間で、パソコン４、光ディスクプレーヤー５、または持込み携帯形端末６０が出力する音響信号の信号レベルを、音声ミキサー７１が出力する歌唱者の音声が入った調整済音声信号の信号レベルに合わせることができる。
【符号の説明】
【０１１４】
１  音響装置
２  マイクレシーバー
３  カラオケコマンダー
４  パソコン
５  光ディスクプレーヤー
６  信号変換器
７  音響映像セレクター
１１  スピーカー
１２  アンプ
２１  一方のアナログの音声信号（音声信号）
２２  他方のアナログの音声信号（音声信号）
３１  ネットワーク
３２  映像信号
３３  歌唱入音響信号
４１  映像信号
４２  音響信号
５１  映像信号
５２  音響信号
６０  携帯形端末
６１  映像信号
６２  音響信号
７１  音声ミキサー
７２  第１の信号重畳回路
７３  第２の信号重畳回路
７４  第３の信号重畳回路
７５  押圧検出回路
７６  マイクロコンピューター
７７  ＬＥＤ通電回路
７８  電子スイッチ
７９  電子ボリューム
ｋ１  第１の電子ボリューム
ｋ２  第２の電子ボリューム
ｋ３  第３の電子ボリューム
４２１  調整済音響信号
４３１  調整済音響信号
４４１  調整済音響信号
７１１  調整済音声信号
７２１  調整済音響信号
７３１  調整済音響信号
７４１  調整済音響信号
Ｓ  スイッチボックス
Ｍ  マイク
ｍ  変調した赤外線（赤外線）
ｓ１  第１の押釦スイッチ
ｓ２  第２の押釦スイッチ
ｓ３  第３の押釦スイッチ
ｓ４  第４の押釦スイッチ
ｂ１  第１の釦
ｂ２  第２の釦
ｂ３  第３の釦
ｂ４  第４の釦
ｒ１  第１のランプ
ｒ２  第２のランプ
ｒ３  第３のランプ
ｒ４  第４のランプ
ｇ１  第１押釦スイッチ
ｇ２  第２押釦スイッチ
ｂ１  第１ランプ
ｂ２  第２ランプ
Ｌｂ  大型モニター（映像装置）
Ｌａ  モニター（映像装置）
ｋ１  第１の電子ボリューム
ｋ２  第２の電子ボリューム
ｋ３  第３の電子ボリューム
Ａ  カラオケ機器切替装置